(57)【要約】【課題】複数の波長帯を使用して複数の波長分割多重光信号を伝送する光伝送システムにおいて、１つの波長帯でのモニタにより各波長分割多重光信号の特性を制御する。【解決手段】光パワー調整装置は、抽出部、波長変換器、光モニタ部、送信部を備える。抽出部は、第１の波長帯に配置された第１の波長分割多重光信号および第２の波長帯に配置された第２の波長分割多重光信号を含む光信号から、第１の波長分割多重光信号および第２の波長分割多重光信号をそれぞれ抽出する。波長変換器は、抽出部により抽出された第２の波長分割多重光信号の波長を変換して第１の波長帯に配置される第３の波長分割多重光信号を生成する。光モニタ部は、第３の波長分割多重光信号の各波長チャネルのパワーをモニタする。送信部は、光モニタ部によるモニタ結果を、光信号の送信元ノードまたは光信号の中継ノードに送信する。【選択図】図８
2019198024.tif 000002
【特許請求の範囲】
【請求項１】
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記抽出部により抽出された第２の波長分割多重光信号の波長を変換して前記第１の波長帯に配置される第３の波長分割多重光信号を生成する波長変換器と、
前記第３の波長分割多重光信号の各波長チャネルのパワーをモニタする光モニタ部と、
前記光モニタ部によるモニタ結果を、前記光信号の送信元ノードまたは前記光信号の中継ノードに送信する送信部と、
を備える光パワー調整装置。
【請求項２】
前記第１の波長分割多重光信号の各波長チャネルのパワーをモニタする第２の光モニタ部をさらに備え、
前記送信部は、前記光モニタ部によるモニタ結果および前記第２の光モニタ部によるモニタ結果を、前記光信号の送信元ノードまたは前記光信号の中継ノードに送信する
ことを特徴とする請求項１に記載の光パワー調整装置。
【請求項３】
前記抽出部により抽出された第１の波長分割多重光信号または前記波長変換器により生成される第３の波長分割多重光信号を選択するスイッチをさらに備え、
前記スイッチにより前記第１の波長分割多重光信号が選択されたときは、前記光モニタ部は、前記第１の波長分割多重光信号の各波長チャネルのパワーをモニタし、
前記スイッチにより前記第３の波長分割多重光信号が選択されたときは、前記光モニタ部は、前記第３の波長分割多重光信号の各波長チャネルのパワーをモニタする
ことを特徴とする請求項１に記載の光パワー調整装置。
【請求項４】
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出し、
抽出された前記第２の波長分割多重光信号の波長を変換して前記第１の波長帯に配置される第３の波長分割多重光信号を生成し、
前記第３の波長分割多重光信号の各波長チャネルのパワーをモニタし、
前記第３の波長分割多重光信号の各波長チャネルのパワーについてのモニタ結果を、前記光信号の送信元ノードまたは前記光信号の中継ノードに送信する
ことを特徴とする光パワー調整方法。
【請求項５】
第１の光伝送装置から第２の光伝送装置に複数の波長分割多重光信号を伝送する光伝送システムであって、
前記第１の光伝送装置は、
第１の波長帯に配置される第１の波長分割多重光信号および前記第１の波長帯に配置される第２の波長分割多重光信号を生成する信号生成部と、
前記第２の波長分割多重光信号の波長を変換して第２の波長帯に配置される第３の波長分割多重光信号を生成する第１の波長変換器と、
前記第１の波長分割多重光信号および前記第３の波長分割多重光信号を合波する合波器と、
前記第２の波長分割多重光信号の各波長チャネルのパワーを調整する調整部と、を備え、
前記第２の光伝送装置は、
前記第１の波長分割多重光信号および前記第３の波長分割多重光信号を含む光信号から前記第１の波長分割多重光信号および前記第３の波長分割多重光信号をそれぞれ抽出する抽出部と、
前記抽出部により抽出された第３の波長分割多重光信号の波長を変換して前記第１の波長帯に配置される第４の波長分割多重光信号を生成する第２の波長変換器と、
前記第４の波長分割多重光信号の各波長チャネルのパワーをモニタする光モニタ部と、
前記光モニタ部によるモニタ結果を、前記第１の光伝送装置に送信する送信部と、を備え、
前記調整部は、前記モニタ結果に基づいて、前記第２の波長分割多重光信号の各波長チャネルのパワーを調整する
ことを特徴とする光伝送システム。
【請求項６】
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記抽出部により抽出された第２の波長分割多重光信号の波長を変換して前記第１の波長帯に配置される第３の波長分割多重光信号を生成する波長変換器と、
前記抽出部により抽出された第１の波長分割多重光信号または前記波長変換器により生成される第３の波長分割多重光信号を選択するスイッチと、
前記スイッチにより前記第１の波長分割多重光信号が選択されたときは、前記第１の波長分割多重光信号の各波長チャネルのパワーをモニタし、前記スイッチにより前記第３の波長分割多重光信号が選択されたときは、前記第３の波長分割多重光信号の各波長チャネルのパワーをモニタする光チャネルモニタと、
を備える光伝送装置。
【請求項７】
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記第１の波長分割多重光信号または前記第２の波長分割多重光信号を選択するスイッチと、
前記スイッチにより前記第２の波長分割多重光信号が選択されたときに、前記第２の波長分割多重光信号の波長を変換して前記第１の波長帯に配置される第３の波長分割多重光信号を生成する波長変換器と、
前記スイッチにより前記第１の波長分割多重光信号が選択されたときは、前記第１の波長分割多重光信号の各波長チャネルのパワーをモニタし、前記スイッチにより前記第２の波長分割多重光信号が選択されたときは、前記第３の波長分割多重光信号の各波長チャネルのパワーをモニタする光チャネルモニタと、
を備える光伝送装置。
【発明の詳細な説明】
【技術分野】
【０００１】
本発明は、波長分割多重光信号の各波長チャネルのパワーを調整またはモニタする装置および方法に係わる。
【背景技術】
【０００２】
光通信ネットワークの容量を大きくするための技術の１つとして、波長分割多重（ＷＤＭ：Wavelength Division Multiplexing）が広く実用化されている。ＷＤＭ伝送システムにおいては、複数の波長チャネルを多重化することによりＷＤＭ信号が生成される。そして、ＷＤＭ信号中の各波長チャネルを介してそれぞれデータ信号が伝送される。尚、ＷＤＭ信号は、例えば、Ｃバンド（約１５３０〜１５６５ｎｍ）と呼ばれる波長帯に配置される。
【０００３】
ＷＤＭ伝送システムの容量をさらに大きくするために、Ｃバンドに加えてＬバンド及び／又はＳバンドにもＷＤＭ信号を配置する構成が提案されている。なお、Ｌバンドの波長はＣバンドよりも長く、Ｓバンドの波長はＣバンドよりも短い。
【０００４】
ただし、Ｃバンドと比較して、ＬバンドまたはＳバンドを使用してＷＤＭ信号を伝送する構成は普及していない。このため、現在、ＬバンドまたはＳバンドのための光送受信器は高価である。他方、Ｃバンドと他のバンド（Ｌバンド、Ｓバンド）との間で光信号の波長を変換する波長変換器の開発は進んでいる。したがって、Ｃバンドの光送受信器およびＣバンドと他のバンドとの間で波長を変換する波長変換器を組み合わせることにより、Ｃバンド、Ｌバンド、Ｓバンドを使用してそれぞれＷＤＭ信号を伝送する大容量伝送システムが提案されている。
【０００５】
なお、複数の波長帯域を持つ波長多重光信号を、所定種類の単一波長帯域用の光増幅器を用いて増幅する構成が提案されている（例えば、特許文献１）。光ファイバを用いて波長を変換する方法は、例えば、特許文献２に記載されている。ＷＤＭ信号の各波長のパワーを検出または調整する方法は、例えば、特許文献３、４に記載されている。
【先行技術文献】
【特許文献】
【０００６】
【特許文献１】特開２００３−１８８８３０号
【特許文献２】特許第４５５０１８７号
【特許文献３】特開２０１４−１６５５４３号
【特許文献４】特開２０１６−２０８３１０号
【発明の概要】
【発明が解決しようとする課題】
【０００７】
ところが、波長変換器の変換効率は、波長依存性を有する。このため、例えば、複数の波長チャネルのパワーが均一なＷＤＭ信号が生成されても、波長変換器から出力されるＷＤＭ信号中の複数の波長チャネルのパワーが均一でなくなることがある。この場合、波長チャネル毎に伝送性能（光信号対雑音比（ＯＳＮＲ）、ビット誤り率（ＢＥＲ）など）がばらついてしまう。
【０００８】
したがって、波長変換を利用して波長の異なる複数のＷＤＭ信号を伝送する光伝送システムにおいては、各ＷＤＭ信号をモニタして各ＷＤＭ信号の特性をそれぞれ制御することが要求される。ただし、波長の異なる複数のＷＤＭ信号をモニタする場合、複数の異なるモニタ装置が必要になり、そのためのコストが高くなることがある。
【０００９】
本発明の１つの側面に係わる目的は、複数の波長帯を使用して複数の波長分割多重光信号を伝送する光伝送システムにおいて、１つの波長帯でのモニタにより各波長分割多重光信号の特性を制御することである。
【課題を解決するための手段】
【００１０】
本発明の１つの態様の光パワー調整装置は、第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、前記抽出部により抽出された第２の波長分割多重光信号の波長を変換して前記第１の波長帯に配置される第３の波長分割多重光信号を生成する波長変換器と、前記第３の波長分割多重光信号の各波長チャネルのパワーをモニタする光モニタ部と、前記光モニタ部によるモニタ結果を、前記光信号の送信元ノードまたは前記光信号の中継ノードに送信する送信部と、を備える。
【発明の効果】
【００１１】
上述の態様によれば、複数の波長帯を使用して複数の波長分割多重光信号を伝送する光伝送システムにおいて、１つの波長帯でのモニタにより各波長分割多重光信号の特性を制御できる。
【図面の簡単な説明】
【００１２】
【図１】光伝送システムの一例を示す図である。
【図２】ＷＤＭ信号の波長変換の一例を示す図である。
【図３】波長変換に起因する信号品質の劣化の一例を示す図である。
【図４】ＷＤＭ信号のプリエンファシスの一例を示す図である。
【図５】２つの励起光による波長変換の一例を示す図である。
【図６】波長を短くする波長変換の一例を示す図である。
【図７】プリエンファシスのためのフィードバック制御の一例を示す図である。
【図８】第１の実施形態に係わる光伝送システムの一例を示す図である。
【図９】波長変換前および波長変換後のＷＤＭ信号のスペクトルの例を示す図である。
【図１０】第１の実施形態において光パワーを調整する方法の一例を示すフローチャートである。
【図１１】各波長チャネルの送信パワーを調整する構成の例を示す図（その１）である。
【図１２】各波長チャネルの送信パワーを調整する構成の例を示す図（その２）である。
【図１３】ＷＤＭ信号をモニタする回路のバリエーションの一例を示す図である。
【図１４】第２の実施形態による波長変換の一例を示す図（その１）である。
【図１５】第２の実施形態による波長変換の一例を示す図（その２）である。
【図１６】第２の実施形態のフィードバック制御の一例を示す図である。
【図１７】第２の実施形態において光パワーを調整する方法の一例を示すフローチャートである。
【図１８】高非線形ファイバの零分散波長の調整によるＷＤＭ信号の波長シフトの一例を示す図である。
【図１９】第３の実施形態のフィードバック制御の一例を示す図である。
【図２０】第３の実施形態において光パワーを調整する方法の一例を示すフローチャートである。
【図２１】第４の実施形態による波長変換の一例を示す図（その１）である。
【図２２】第４の実施形態による波長変換の一例を示す図（その２）である。
【図２３】第４の実施形態において光パワーを調整する方法の一例を示すフローチャートである。
【図２４】第４の実施形態のバリエーションの一例を示す図である。
【図２５】第５の実施形態による波長変換の一例を示す図である。
【図２６】第５の実施形態において光パワーを調整する方法の一例を示すフローチャートである。
【図２７】第６の実施形態に係わる光伝送システムの一例を示す図である。
【図２８】中継ノードの一例を示す図である。
【図２９】光チャネルモニタの構成例を示す図（その１）である。
【図３０】光チャネルモニタの構成例を示す図（その２）である。
【図３１】光チャネルモニタの構成例を示す図（その３）である。
【図３２】光チャネルモニタシステムの第１の実施例を示す図である。
【図３３】図３２に示す光チャネルモニタシステムの動作の一例を示すフローチャートである。
【図３４】光チャネルモニタシステムの第２の実施例を示す図である。
【図３５】図３４に示す光チャネルモニタシステムの動作の一例を示すフローチャートである。
【図３６】光チャネルモニタシステムの第３の実施例を示す図である。
【図３７】図３６に示す光チャネルモニタシステムの動作の一例を示すフローチャートである。
【図３８】光チャネルモニタシステムの第４の実施例を示す図である。
【図３９】図３８に示す光チャネルモニタシステムの動作の一例を示すフローチャートである。
【図４０】３つのＷＤＭ信号をモニタする構成の一例を示す図である。
【図４１】波長変換に起因して発生する擬似信号の一例を示す図である。
【図４２】励起光のパワーと波長変換により生成される光信号のパワーとの関係の例を示す図である。
【図４３】擬似信号を考慮してＷＤＭ信号をモニタする動作の一例を示すフローチャートである。
【図４４】光チャネルモニタシステムが実装されるＷＤＭ伝送システムの例を示す図（その１）である。
【図４５】光チャネルモニタシステムが実装されるＷＤＭ伝送システムの例を示す図（その２）である。
【図４６】図８に示す光伝送システムにおいて使用される光チャネルモニタシステムの一例を示す図である。
【発明を実施するための形態】
【００１３】
図１は、本発明の実施形態に係わる光伝送システムの一例を示す。この光伝送システムは、Ｃバンドに配置されたＷＤＭ信号、Ｌバンドに配置されたＷＤＭ信号、およびＳバンドに配置されたＷＤＭ信号を含む光信号を伝送する。
【００１４】
送信側のノードに実装されるＷＤＭ伝送装置は、複数の送信器１１ａ、１１ｂ、１１ｃを備える。各送信器１１ａ〜１１ｃは、Ｃバンドに属する光信号を出力する。ＷＤＭ合波器１２ａは、複数の送信器１１ａから出力される光信号を合波してＷＤＭａ信号を生成する。同様に、ＷＤＭ合波器１２ｂは、複数の送信器１１ｂから出力される光信号を合波してＷＤＭｂ信号を生成し、ＷＤＭ合波器１２ｃは、複数の送信器１１ｃから出力される光信号を合波してＷＤＭｃ信号を生成する。ＷＤＭ合波器１２ａ〜１２ｃから出力されるＷＤＭ信号は、それぞれＣバンドに配置されている。なお、ＷＤＭ合波器１２ａにより合波される複数の光信号の波長は互いに異なり、ＷＤＭ合波器１２ｂにより合波される複数の光信号の波長は互いに異なり、ＷＤＭ合波器１２ｃにより合波される複数の光信号の波長は互いに異なる。
【００１５】
波長変換器１４Ｌは、ＷＤＭ合波器１２ａから出力されるＷＤＭａ信号の波長を変換する。波長変換器１４Ｌは、ＣバンドからＬバンドへの波長変換を行う。すなわち、この波長変換によりＬバンドに配置されるＷＤＭａ信号が生成される。以下の記載では、ＣバンドからＬバンドへの波長変換により得られるＷＤＭａ信号を「ＷＤＭａ(L)信号」と呼ぶことがある。同様に、波長変換器１４Ｓは、ＷＤＭ合波器１２ｃから出力されるＷＤＭｃ信号の波長を変換する。波長変換器１４Ｓは、ＣバンドからＳバンドへの波長変換を行う。すなわち、この波長変換によりＳバンドに配置されるＷＤＭｃ信号が生成される。以下の記載では、ＣバンドからＳバンドへの波長変換により得られるＷＤＭｃ信号を「ＷＤＭｃ(S)信号」と呼ぶことがある。なお、ＷＤＭ合波器１２ｂから出力されるＷＤＭｂ信号の波長は変換されないが、このＷＤＭ信号を「ＷＤＭｂ(C)信号」と呼ぶことがある。
【００１６】
合波器１５は、ＷＤＭａ(L)信号、ＷＤＭｂ(C)信号、ＷＤＭｃ(S)信号を合波する。なお、ＷＤＭ合波器１２Ｌ、１２Ｃ、１２Ｓから出力されるＷＤＭ信号は、それぞれ光増幅器１３により増幅されてもよい。
【００１７】
受信側のノードに実装されるＷＤＭ伝送装置において、分離器２１は、入力光からＬバンドの光、Ｃバンドの光、Ｓバンドの光をそれぞれ抽出するように構成されている。よって、分離器２１は、受信光信号からＷＤＭａ(L)信号、ＷＤＭｂ(C)信号、ＷＤＭｃ(S)信号をそれぞれ抽出する。なお、分離器２１は、第１の波長帯に配置された第１のＷＤＭ信号および第２の波長帯に配置された第２のＷＤＭ信号を含む光信号から第１のＷＤＭ信号および第２のＷＤＭ信号をそれぞれ抽出する抽出部の一例である。
【００１８】
波長変換器２２Ｌは、ＷＤＭａ(L)信号の波長を変換する。波長変換器２２Ｌは、ＬバンドからＣバンドへの波長変換を行う。すなわち、この波長変換によりＣバンドに配置されるＷＤＭａ信号が生成される。以下の記載では、ＬバンドからＣバンドへの波長変換により得られるＷＤＭａ信号を「ＷＤＭａ(C)信号」と呼ぶことがある。同様に、波長変換器２２Ｓは、ＷＤＭｃ(S)信号の波長を変換する。波長変換器２２Ｓは、ＳバンドからＣバンドへの波長変換を行う。すなわち、この波長変換によりＣバンドに配置されるＷＤＭｃ信号が生成される。以下の記載では、ＳバンドからＣバンドへの波長変換により得られるＷＤＭｃ信号を「ＷＤＭｃ(C)信号」と呼ぶことがある。なお、ＷＤＭｂ(C)信号の波長は変換されない。
【００１９】
ＷＤＭ分波器２４ａは、ＷＤＭａ(C)信号を波長ごとに分離する。ＷＤＭ分波器２４ｂは、ＷＤＭｂ(C)信号を波長ごとに分離する。ＷＤＭ分波器２４ｃは、ＷＤＭｃ(C)信号を波長ごとに分離する。ＷＤＭ分波器２４ａ、２４ｂ、２４ｃにより得られる各光信号は、それぞれ対応する受信器２５ａ、２５ｂ、２５ｃにより受信される。各受信器２５ａ〜２５ｃは、Ｃバンドに属する光信号を受信するように構成されている。なお、ＷＤＭ分波器２４ａ〜２４ｃに入力されるＷＤＭ信号は、それぞれ光増幅器２３により増幅されてもよい。
【００２０】
このように、図１に示す光伝送システムにおいては、Ｌバンドのための送信器および受信器を使用することなくＬバンドのＷＤＭ信号が伝送され、Ｓバンドのための送信器および受信器を使用することなくＳバンドのＷＤＭ信号が伝送される。すなわち、Ｃバンドのための送信器および受信器のみを使用して、Ｃバンド、Ｌバンド、ＳバンドのＷＤＭ信号が伝送される。したがって、図１に示す構成によれば、部品の共通化によりコストを削減しながら大容量化が実現される。
【００２１】
図２は、ＷＤＭ信号の波長変換の一例を示す。波長変換器は、この例では、励起光源および高非線形ファイバを備える。そして、波長変換器は、入力ＷＤＭ信号および励起光を合波して高非線形ファイバに導く。そうすると、高非線形ファイバにおいて、４光波混合によりＷＤＭ信号の波長が変換される。
【００２２】
図３は、波長変換に起因する信号品質の劣化の一例を示す。波長変換器は、例えば、上述したように、高非線形ファイバを用いて実現される。しかし、高非線形ファイバの波長分散および群遅延は、波長依存性を有する。このため、入力ＷＤＭ信号（すなわち、波長変換前のＷＤＭ信号）の各波長チャネルのパワーが均一であっても、出力ＷＤＭ信号（すなわち、波長変換後のＷＤＭ信号）の各波長チャネルのパワーが均一でないことがある。例えば、励起波長に近い波長を有する波長チャネルと比較して、励起波長から遠く離れた波長を有する波長チャネル（図３では、チャネル１〜３）のパワーが小さくなることがある。なお、波長チャネルのパワーが低下すると、ＯＳＮＲおよびビット誤り率などの信号品質が劣化する。
【００２３】
図４は、ＷＤＭ信号のプリエンファシスの一例を示す。プリエンファシスは、この例では、波長変換器の入力側において、ＷＤＭ信号中の１または複数の波長チャネルのパワーを調整することにより実現される。具体的には、波長変換器から出力されるＷＤＭ信号の各波長チャネルのパワーが均一になるように、波長変換器の入力側において、ＷＤＭ信号中の１または複数の波長チャネルのパワーが調整される。このプリエンファシスは、例えば、波長変換器から出力されるＷＤＭ信号の各波長チャネルのパワーをモニタし、そのモニタ結果に基づくフィードバック制御により実現される。そして、このようなプリエンファシスを行うことにより、波長変換後のＷＤＭ信号の各波長チャネルの信号品質のばらつきが抑制される。
【００２４】
なお、波長変換後にＷＤＭ信号の各波長チャネルのパワーを調整する場合、波長選択スイッチなどの波長デバイスが必要であり、その構成が複雑になる。これに対して、プリエンファシスによりＷＤＭ信号の各波長チャネルのパワーを調整する場合、その構成はシンプルである。
【００２５】
図５は、２つの励起光による波長変換の一例を示す。図５に示す例では、ＷＤＭ信号の偏波と励起光の偏波とが互いに直交するように、ＷＤＭ信号および励起光が合波される。具体的には、Ｖ偏波のＷＤＭ信号に対して、Ｈ偏波の励起光が与えられている。なお、２つの励起光の偏波が互いに直交していれば、任意の偏波のＷＤＭ信号の波長変換が実現される。
【００２６】
ただし、この波長変換においても、ＷＤＭ信号中の一部の波長チャネルのパワーが低下することがある。図５（ａ）に示す例では、ＷＤＭ信号の波長帯の端部に配置される波長チャネルのパワーが低下している。したがって、この場合は、図５（ｂ）に示すように、プリエンファシスによりＷＤＭ信号の波長帯の端部に配置される波長チャネルのパワーを調整すれば、波長変換後のＷＤＭ信号の各波長チャネルのパワーを均一にできる。
【００２７】
なお、図３〜図５に示す例では波長を長くする波長変換が行われているが、図６に示すように、波長を短くする波長変換を実現することも可能である。波長を短くする波長変換は、１つの励起光を使用する構成および２つの励起光を使用する構成のいずれにおいても実現可能である。
【００２８】
図７は、プリエンファシスのためのフィードバック制御の一例を示す。この例では、送信ノード１０において、複数の送信器（Ｔｘ）１１により生成される光信号がＷＤＭ合波器１２により合波されてＷＤＭ信号が生成される。なお、複数の送信器１１は、Ｃバンド内で互いに波長の異なる光信号を生成する。
【００２９】
波長変換器１４は、ＷＤＭ合波器１２から出力されるＷＤＭ信号の波長を変換する。この例では、ＣバンドのＷＤＭ信号がＬバンドのＷＤＭ信号またはＳバンドのＷＤＭ信号に変換される。そして、波長変換後のＷＤＭ信号は、光伝送路を介して送信ノード１０から受信ノード２０に伝送される。
【００３０】
受信ノード２０において、波長変換器２２は、受信ＷＤＭ信号の波長を変換する。ここで、波長変換器２２は、波長変換器１４に対応する波長変換を行う。すなわち、波長変換器１４がＬバンドのＷＤＭ信号を生成するときは、波長変換器２２は、ＬバンドのＷＤＭ信号をＣバンドのＷＤＭ信号に変換する。また、波長変換器１４がＳバンドのＷＤＭ信号を生成するときは、波長変換器２２は、ＳバンドのＷＤＭ信号をＣバンドのＷＤＭ信号に変換する。そして、ＷＤＭ分波器２４は、ＷＤＭ信号を波長ごとに分離して対応する受信器（Ｒｘ）２５に導く。なお、各受信器２５は、Ｃバンドの光信号を受信するように構成されている。
【００３１】
光チャネルモニタ（ＯＣＭ）２６は、波長変換器２２から出力されるＷＤＭ信号の各波長チャネルのパワーをモニタする。そして、送信部２７は、光チャネルモニタ２６のモニタ結果を表すモニタ情報を送信ノード１０に送信する。すなわち、波長変換器２２から出力されるＷＤＭ信号の各波長チャネルのパワーについてのモニタ結果が、受信ノード２０から送信ノード１０に通知される。
【００３２】
ＷＤＭ調整部１６は、受信ノードから通知されるモニタ結果に基づいて、ＷＤＭ信号の各波長チャネルのパワーを調整する。一例としては、ＷＤＭ調整部１６は、光チャネルモニタ２６により検出される各波長チャネルのパワーが均一になるように、各送信器１１の送信パワーを調整する。この場合、このフィードバック制御により、図３〜図５に示すプリエンファシスが実現される。そして、この結果、波長変換器２２から出力されるＷＤＭ信号の各波長チャネルのパワーが均一になる。
【００３３】
＜第１の実施例＞
図８は、本発明の第１の実施形態に係わる光伝送システムの一例を示す。なお、複数の送信器１１ａ〜１１ｃ、ＷＤＭ合波器１２ａ〜１２ｃ、波長変換器１４Ｌ、１４Ｓ、合波器１５、分離器２１、波長変換器２２Ｌ、２２Ｓ、ＷＤＭ分波器２４ａ〜２４ｃは、複数の受信器２５ａ〜２５ｃは、図１および図８において互いに実質的に同じである。
【００３４】
即ち、波長変換器１４Ｌは、ＷＤＭ合波器１２ａから出力されるＷＤＭａ信号に対してＣバンドからＬバンドへの波長変換を行うことにより、ＷＤＭａ(L)信号を生成する。波長変換器１４Ｓは、ＷＤＭ合波器１２ｃから出力されるＷＤＭｃ信号に対してＣバンドからＳバンドへの波長変換を行うことにより、ＷＤＭｃ(S)信号を生成する。波長変換器２２Ｌは、ＷＤＭａ(L)信号に対してＬバンドからＣバンドへの波長変換を行うことにより、ＷＤＭａ(C)信号を生成する。波長変換器２２Ｓは、ＷＤＭｃ(S)信号に対してＳバンドからＣバンドへの波長変換を行うことにより、ＷＤＭｃ(C)信号を生成する。
【００３５】
このように、複数の送信器１１ａの出力光信号から生成されるＷＤＭａ信号は、波長変換器１４ＬによりＬバンドに配置されて伝送され、波長変換器２２ＬによりＣバンドに再配置される。複数の送信器１１ｃの出力光信号から生成されるＷＤＭｃ信号は、波長変換器１４ＳによりＳバンドに配置されて伝送され、波長変換器２２ＳによりＣバンドに再配置される。なお、複数の送信器１１ｂの出力光信号から生成されるＷＤＭｂ信号は、波長変換が行われることなく伝送される。
【００３６】
光チャネルモニタ２６ａは、波長変換器２２Ｌから出力されるＷＤＭａ(C)信号の各波長チャネルのパワーをモニタする。光チャネルモニタ２６ａによるモニタ結果（即ち、ＷＤＭａ(C)信号の各波長チャネルのパワーを表すモニタ情報）は、ＷＤＭ調整部１６ａに通知される。そして、ＷＤＭ調整部１６ａは、このモニタ情報に基づいて、各送信器１１ａの送信パワーを調整する。一例としては、ＷＤＭ調整部１６ａは、光チャネルモニタ２６ａにより検出される各波長チャネルのパワーが均一になるように、各送信器１１ａの送信パワーを調整する。よって、フィードバック制御に基づくプリエンファシスにより、波長変換器２２Ｌから出力されるＷＤＭ信号の各波長チャネルのパワーを均一にできる。
【００３７】
図９は、波長変換前および波長変換後のＷＤＭ信号のスペクトルの例を示す。なお、図９において、「入力ＷＤＭ信号」は、図８に示す波長変換器１４Ｌに入力されるＷＤＭ信号（または、ＷＤＭ合波器１２ａから出力されるＷＤＭ信号）を表し、「変換後のＷＤＭ信号」は、図８に示す波長変換器２２Ｌから出力されるＷＤＭ信号を表す。
【００３８】
この例では、プリエンファシスを行わないときは、図９（ａ）に示すように、波長変換後のＷＤＭ信号中の一部の波長チャネルのパワーが低下するものとする。図９（ａ）に示す例では、波長変換後のＷＤＭ信号中の波長チャネル１〜３のパワーが他の波長チャネルと比べて低下している。
【００３９】
ここで、ＷＤＭ調整部１６ａは、波長変換後のＷＤＭ信号の各波長チャネルのパワーが均一になるようにフィードバック制御を実行する。すなわち、ＷＤＭ調整部１６ａは、図９（ｂ）に示すように、波長チャネル１〜３の送信パワーを大きくするプリエンファシスを行う。この結果、波長変換後のＷＤＭ信号の各波長チャネルのパワーが均一になる。
【００４０】
光チャネルモニタ２６ｃは、波長変換器２２Ｓから出力されるＷＤＭｃ(C)信号の各波長チャネルのパワーをモニタする。光チャネルモニタ２６ｃによるモニタ結果（即ち、ＷＤＭｃ(C)信号の各波長チャネルのパワーを表すモニタ情報）は、ＷＤＭ調整部１６ｃに通知される。そして、ＷＤＭ調整部１６ｃは、このモニタ情報に基づいて、各送信器１１ｃの送信パワーを調整する。一例としては、ＷＤＭ調整部１６ｃは、光チャネルモニタ２６ｃにより検出される各波長チャネルのパワーが均一になるように、各送信器１１ｃの送信パワーを調整する。よって、このフィードバック制御により、波長変換器２２Ｓから出力されるＷＤＭ信号の各波長チャネルのパワーを均一にできる。
【００４１】
なお、複数の送信器１１ｂの出力光信号から生成されるＷＤＭｂ(C)信号は、波長変換が行われることなく伝送される。光チャネルモニタ２６ｂは、ＷＤＭｂ(C)信号の各波長チャネルのパワーをモニタする。光チャネルモニタ２６ｂによるモニタ結果（即ち、ＷＤＭｂ(C)信号の各波長チャネルのパワーを表すモニタ情報）は、ＷＤＭ調整部１６ｂに通知される。ＷＤＭ調整部１６ｂは、このモニタ情報に基づいて、各送信器１１ｂの送信パワーを調整する。一例としては、ＷＤＭ調整部１６ｂは、光チャネルモニタ２６ｂにより検出される各波長チャネルのパワーが均一になるように、各送信器１１ｂの送信パワーを調整する。よって、このフィードバック制御により、波長変換が行われていないＷＤＭ信号の各波長チャネルのパワーも均一にできる。
【００４２】
このように、図８に示す光伝送システムにおいては、送信器１１ａから受信器２５ａに伝送されるＷＤＭａ信号は、送信側でＣバンドからＬバンドに変換され、受信側でＬバンドからＣバンドに再変換される。また、送信器１１ｂから受信器２５ｂに伝送されるＷＤＭｂ信号は、波長変換が行われることなく、Ｃバンドを利用して伝送される。さらに、送信器１１ｃから受信器２５ｃに伝送されるＷＤＭｃ信号は、送信側でＣバンドからＳバンドに変換され、受信側でＳバンドからＣバンドに再変換される。よって、各ノードに実装されるＷＤＭ伝送装置は、波長変換器を除き、Ｃバンドの光信号を処理する装置または回路で実現される。また、光チャネルモニタ２６ａ〜２６ｃも、ＣバンドのＷＤＭ信号をモニタする構成で実現される。
【００４３】
なお、図９（ｂ）に示すフィードバック制御は、波長変換後のＷＤＭ信号の各波長チャネルのパワーを均一にするプリエンファシスを行うが、第１の実施形態はこれに限定されるものではない。たとえば、図９（ｃ）に示すように、波長変換後のＷＤＭ信号の波長チャネルのパワーのバラつきを２分の１に抑制するプリエンファシスが行われてもよい。一例として、プリエンファシスが行われないときに、波長変換に起因して、他の波長チャネルと比較して波長チャネル１、２、３のパワーがそれぞれ4dB、2dB、1dBだけ低下するものとする。この場合、ＷＤＭ調整部１６は、波長チャネル１、２、３の送信パワーをそれぞれ2dB、1dB、0.5dBだけ大きくする。そうすると、波長変換後のＷＤＭ信号の波長チャネル１、２、３のパワーは、他の波長チャネルと比較してそれぞれ2dB、1dB、0.5dBだけ低下した状態に制御される。
【００４４】
このようなプリエンファシスを行うと、波長変換器（例えば、波長変換器１４Ｌ）の入力側に実装される光増幅器で生じる特性ばらつきと、波長変換器（例えば、波長変換器２２Ｌ）の出力側に実装される光増幅器で生じる特性ばらつきとが相殺される。例えば、図９（ｃ）に示す例では、入力ＷＤＭ信号中の波長チャネル１〜３のパワーは相対的に大きいので、他の波長チャネルと比較してＳＮＲが高くなる。一方、波長変換後のＷＤＭ信号中の波長チャネル１〜３のパワーは相対的に小さいので、他の波長チャネルと比較してＳＮＲが低くなる。したがって、このＷＤＭ信号の各波長チャネルのＳＮＲは、互いにほぼ同じになる。
【００４５】
図１０は、第１の実施形態において光パワーを調整する方法の一例を示すフローチャートである。このフローチャートの処理は、各ＷＤＭ信号に対して実行される。
【００４６】
Ｓ１において、送信ノードは、ＷＤＭ信号を送信する。なお、この時点でプリエンファシスが行われていないものとする。
【００４７】
Ｓ２において、受信ノードに実装される光チャネルモニタ２６（２６ａ、２６ｂ、２６ｃ）は、受信ＷＤＭ信号のスペクトルをモニタする。即ち、光チャネルモニタ２６は、波長変換後のＷＤＭ信号の各波長チャネルのパワーをモニタする。
【００４８】
Ｓ３において、受信ノードは、光チャネルモニタ２６のモニタ結果を送信ノードに通知する。即ち、波長変換後のＷＤＭ信号の各波長チャネルのパワーを表すモニタ情報が、受信ノードから送信ノードに送られる。
【００４９】
Ｓ４において、送信ノードに実装されるＷＤＭ調整部１６（１６ａ、１６ｂ、１６ｃ）は、受信ノードから通知されるモニタ結果に基づいて、各波長チャネルの送信パワーを計算する。このとき、ＷＤＭ調整部１６は、例えば、光チャネルモニタ２６により測定された各波長チャネルのパワーが互いに同じになるように、各波長チャネルの送信パワーを計算する。そして、ＷＤＭ調整部１６は、この計算結果に応じて、各波長チャネルの送信パワーを調整する。
【００５０】
Ｓ５において、送信ノードは、ＷＤＭ信号を送信する。すなわち、プリエンファシスが行われたＷＤＭ信号が送信される。この結果、受信ノードにおいて、波長変換後のＷＤＭ信号の各波長チャネルのパワーが均一になる。なお、ＷＤＭ調整部１６および光チャネルモニタ２６は、Ｓ２〜Ｓ５の処理を繰り返し実行してもよい。
【００５１】
図１１〜図１２は、各波長チャネルの送信パワーを調整する構成の例を示す。なお、ＷＤＭ調整部１６は、図８に示す例では、ＷＤＭ調整部１６ａ、１６ｂまたは１６ｃに相当する。そして、ＷＤＭ調整部１６には、波長変換後のＷＤＭ信号の各波長チャネルのパワーを表すモニタ情報が与えられる。
【００５２】
図１１（ａ）に示す例では、各送信器１１の出力側に、光信号を増幅する増幅器１７がそれぞれ設けられている。この場合、ＷＤＭ調整部１６は、モニタ情報に基づいて、各増幅器１７の利得を計算する。具体的には、波長変換後のＷＤＭ信号の各波長チャネルのパワーを均一にする利得が計算される。そして、各増幅器１７は、計算された利得で光信号を増幅する。
【００５３】
図１１（ｂ）に示す例では、各送信器１１の出力側に、光信号を減衰させる可変光減衰器（ＶＯＡ）１８がそれぞれ設けられている。この場合、ＷＤＭ調整部１６は、モニタ情報に基づいて、各可変光減衰器１８の減衰量を計算する。具体的には、波長変換後のＷＤＭ信号の各波長チャネルのパワーを均一にする減衰量が計算される。そして、各可変光減衰器１８は、計算された減衰量で光信号を減衰させる。
【００５４】
図１２（ａ）に示す例では、各送信器１１の出力側に、光信号を増幅する増幅器１７および光信号を減衰させる可変光減衰器１８がそれぞれ設けられている。この場合、ＷＤＭ調整部１６は、モニタ情報に基づいて、各増幅器１７の利得または各可変光減衰器１８の減衰量を計算する。具体的には、波長変換後のＷＤＭ信号の各波長チャネルのパワーを均一にする利得または減衰量が計算される。図１２（ａ）に示す例では、ＷＤＭ調整部１６は、モニタ情報に基づいて、各可変光減衰器１８の減衰量を計算している。そして、各可変光減衰器１８は、計算された減衰量で光信号を減衰させる。
【００５５】
図１２（ｂ）に示す例では、ＷＤＭ信号を処理する波長選択スイッチ（ＷＳＳ）１９が設けられている。波長選択スイッチ１９は、ＷＤＭ信号の各波長チャネルのパワーを減衰させる機能を備える。この場合、ＷＤＭ調整部１６は、モニタ情報に基づいて、波長選択スイッチ１９における各チャネルの減衰量を計算する。具体的には、波長変換後のＷＤＭ信号の各波長チャネルのパワーを均一にする減衰量が計算される。そして、波長選択スイッチ１９は、計算された減衰量で光信号を減衰させる。
【００５６】
尚、図１１（ａ）に示す構成では、ＷＤＭ調整部１６は、図１０のＳ４において、光チャネルモニタによるモニタ結果に基づいて各増幅器１７の利得を調整する。図１１（ｂ）または図１２（ａ）に示す構成では、ＷＤＭ調整部１６は、Ｓ４において、モニタ結果に基づいて各可変光減衰器１８の減衰量を調整する。図１２（ｂ）に示す構成では、ＷＤＭ調整部１６は、Ｓ４において、モニタ結果に基づいて波長選択スイッチ１９における各チャネルの減衰量を調整する。
【００５７】
図１３は、ＷＤＭ信号をモニタする回路のバリエーションの一例を示す。図７〜図８に示す例では、ＷＤＭ信号の各波長チャネルのパワーは、光チャネルモニタ２６（２６ａ〜２６ｃ）によりモニタされる。これに対して、図１３に示す例では、光フィルタおよび受光器を用いて各波長チャネルのパワーがモニタされる。なお、光チャネルモニタ２６だけでなく、図１３に示す回路も、ＷＤＭ信号の各波長チャネルのパワーをモニタする光モニタ部の一例である。
【００５８】
光フィルタ（ＯＢＰＦ：optical band pass filter）３１は、波長変換後のＷＤＭ信号をフィルタリングする。光フィルタ３１の通過帯の中心波長は、例えば、ＷＤＭ信号の波長帯をスキャンするように制御される。受光器（ＰＤ：photo detector）３２は、光フィルタ３１の出力光を電気信号に変換する。Ａ／Ｄ変換器３３は、受光器３２の出力信号をデジタル信号に変換する。このデジタル信号は、ＷＤＭ信号の各波長チャネルのパワーを表すモニタ情報に相当する。そして、送信部２７は、このモニタ情報をＷＤＭ調整部１６に送信する。
【００５９】
＜第２の実施形態＞
図１４〜図１５は、第２の実施形態による波長変換の一例を示す。この実施例では、ＷＤＭ信号および１組の励起光Ｐ１、Ｐ２が波長変換器に入力される。ＷＤＭ信号の偏波および励起光の偏波は、互いに直交している。波長変換器は、励起光Ｐ１、Ｐ２を生成する励起光源および高非線形ファイバを備える。
【００６０】
図１４（ａ）に示す例では、入力ＷＤＭ信号の波長帯の中心が高非線形ファイバの零分散波長λ0とほぼ一致するように設計されている。そして、１組の励起光Ｐ１、Ｐ２が高非線形ファイバに入力される。なお、励起光Ｐ１、Ｐ２の波長差Δλは、波長変換による波長シフト量に応じて設計される。
【００６１】
上述の励起光Ｐ１、Ｐ２が与えられると、波長変換器は、１組のＷＤＭ信号（出力ＷＤＭ信号１および出力ＷＤＭ信号２）を出力する。ここで、入力ＷＤＭ信号に対する出力ＷＤＭ信号１の波長シフトは−Δλであり、入力ＷＤＭ信号に対する出力ＷＤＭ信号２の波長シフトは＋Δλである。この実施例では、１組のＷＤＭ信号のうち、出力ＷＤＭ信号２が伝送されるものとする。このとき、出力ＷＤＭ信号２は、目標波長に配置されるものとする。
【００６２】
また、図５を参照しながら上述したように、高非線形ファイバの波長変換効率は波長に依存する。このため、入力ＷＤＭ信号の各波長チャネルのパワーが均一であっても、図１４（ａ）に示すように、波長変換後のＷＤＭ信号（すなわち、出力ＷＤＭ信号１、２）の波長チャネルのパワーが均一でないことがある。この例では、波長変換後の各ＷＤＭ信号の波長帯の端部に配置される波長チャネルのパワーが低下している。
【００６３】
波長変換後のＷＤＭ信号の各波長チャネルのパワーは、入力ＷＤＭ信号の波長と高非線形ファイバの零分散波長λ0との関係に依存する。すなわち、入力ＷＤＭ信号の波長をシフトさせると、出力ＷＤＭ信号１、２のパワーがそれぞれ変化する。ここで、出力ＷＤＭ信号２の出力パワーを大きくするものとする。この場合、例えば、図１４（ｂ）に示すように、入力ＷＤＭ信号の波長を短波長側にシフトさせる。この結果、図１４（ａ）に示す状態と比較して、出力ＷＤＭ信号１のパワーが小さくなり、出力ＷＤＭ信号２のパワーが大きくなる。
【００６４】
ただし、入力ＷＤＭ信号の波長をシフトさせると、波長変換後のＷＤＭ信号の波長もシフトする。図１４（ａ）〜図１４（ｂ）に示す例では、出力ＷＤＭ信号２の波長は、目標波長に対して短波長側にシフトしている。そこで、波長変換に起因する波長シフト量を大きくするために、図１５（ａ）に示すように、励起光Ｐ１、Ｐ２の波長差Δλを大きくする。具体的には、入力ＷＤＭ信号の波長シフトを補償するように、励起光Ｐ１、Ｐ２の波長差Δλが調整される。
【００６５】
更に、出力ＷＤＭ信号２の各波長チャネルのパワーを均一にするために、図１５（ｂ）に示すように、ＷＤＭ信号の各波長チャネルの送信パワーが調整される。各波長チャネルの送信パワーの調整は、第１の実施形態のプリエンファシスにより実現される。
【００６６】
図１６は、第２の実施形態のフィードバック制御の一例を示す。この実施例では、波長変換器（１４、２２）は、励起光源４１、４２、および高非線形ファイバ４３を備える。
【００６７】
ＷＤＭ調整部１６は、第１の実施形態と同様に、光チャネルモニタ２６のモニタ結果に基づいて、ＷＤＭ信号の各波長チャネルの送信パワーを制御する。これに加えて、ＷＤＭ調整部１６は、図１４（ｂ）に示すように、各送信器１１の出力光の波長をシフトさせる機能を有する。
【００６８】
励起光波長調整部４４は、光チャネルモニタ２６のモニタ結果に基づいて、励起光Ｐ１またはＰ２のうちの少なくとも一方の波長を調整する。すなわち、励起光波長調整部４４は、光チャネルモニタ２６によりモニタされるＷＤＭ信号の波長が目標波長に近づくように、励起光源４１または４２のうちの少なくとも一方の出力光の波長を調整する。この結果、図１５（ａ）に示す励起光の波長シフトが実現される。なお、図１５（ａ）に示す例では、励起光Ｐ２の波長が調整されている。
【００６９】
励起光源４１、４２は、それぞれ励起光波長調整部４４による調整に従って励起光を生成する。高非線形ファイバ４３には、ＷＤＭ信号および励起光Ｐ１、Ｐ２が入力される。この結果、ＷＤＭ信号の波長変換が実現される。
【００７０】
図１７は、第２の実施形態において光パワーを調整する方法の一例を示すフローチャートである。なお、Ｓ１１、Ｓ１９〜Ｓ２２は、図１０に示すＳ１、Ｓ２〜Ｓ５と実質的に同じである。すなわち、第２の実施形態では、第１の実施形態の手順に加えて、Ｓ１２〜Ｓ１８が実行される。
【００７１】
Ｓ１２において、光チャネルモニタ２６（２６ａ、２６ｂ、２６ｃ）は、受信ＷＤＭ信号のスペクトルをモニタする。すなわち、光チャネルモニタ２６は、波長変換後のＷＤＭ信号の各波長チャネルのパワーをモニタする。Ｓ１３において、送信部２７は、光チャネルモニタ２６のモニタ結果をＷＤＭ調整部１６に通知する。すなわち、波長変換後のＷＤＭ信号の各波長チャネルのパワーを表すモニタ情報がＷＤＭ調整部１６に送信される。
【００７２】
Ｓ１４において、ＷＤＭ調整部１６は、光チャネルモニタ２６のモニタ結果に基づいて、波長変換後のＷＤＭ信号のパワーが目標レベルに近づくように、各送信器１１の出力光の波長を調整する。このとき、例えば、図１４（ｂ）に示す波長シフトが行われる。
【００７３】
Ｓ１５において、ＷＤＭ信号の波長を調整する必要があるか否かが判定される。このとき、例えば、Ｓ１４における波長シフト量が所定の値よりも大きければ、ＷＤＭ信号の波長を調整する必要があると判定してもよい。
【００７４】
ＷＤＭ信号の波長を調整する必要があるときは（Ｓ１５：Ｙｅｓ）、Ｓ１６〜Ｓ１８が実行される。Ｓ１６において、光チャネルモニタ２６（２６ａ、２６ｂ、２６ｃ）は、受信ＷＤＭ信号のスペクトルをモニタする。Ｓ１７において、送信部２７は、光チャネルモニタ２６のモニタ結果を励起光波長調整部４４に通知する。すなわち、波長変換後のＷＤＭ信号の各波長チャネルのパワーを表すモニタ結果が励起光波長調整部４４に通知される。Ｓ１８において、励起光波長調整部４４は、通知されたモニタ結果に基づいて、励起光源４１、４２の出力光の波長を調整する。具体的には、例えば、Ｓ１４における波長シフトを補償するように、励起光源４１、４２の出力光の波長が調整される。この結果、図１５（ａ）に示す波長シフトが実現される。この後、フィードバック制御の処理はＳ１９に進む。
【００７５】
ＷＤＭ信号の波長を調整する必要がないときは（Ｓ１５：Ｎｏ）、Ｓ１６〜Ｓ１８がスキップされ、フィードバック制御の処理はＳ１９に進む。Ｓ１９〜Ｓ２２は、上述したように、図１０の示すＳ２〜Ｓ５と実質的に同じである。すなわち、光チャネルモニタ２６のモニタ結果に基づいて、ＷＤＭ信号の各波長チャネルの送信パワーが調整される。これにより、図１５（ｂ）に示すプリエンファシスが実現される。
【００７６】
＜第３の実施形態＞
第２の実施形態では、図１４に示すように、波長変換前のＷＤＭ信号の中心波長をシフトさせることで、波長変換後のＷＤＭ信号のパワーが調整される。このパワー調整は、波長変換前のＷＤＭ信号の中心波長と高非線形ファイバの零分散波長λ0との関係に依存する。すなわち、高非線形ファイバの零分散波長λ0に対して波長変換前のＷＤＭ信号の中心波長をシフトさせる調整と、波長変換前のＷＤＭ信号の中心波長に対して高非線形ファイバの零分散波長λ0をシフトさせる調整は等価である。そこで、第３の実施形態では、図１４に示す波長シフトの代わりに、高非線形ファイバの零分散波長λ0が調整される。
【００７７】
図１８は、高非線形ファイバの零分散波長の調整によりＷＤＭ信号の波長をシフトさせる方法の一例を示す。なお、図１８（ａ）に示す状態は、図１４（ａ）に示す状態と同じである。
【００７８】
この例では、波長変換後のＷＤＭ信号２のパワーを大きくするために、図１８（ｂ）に示すように、高非線形ファイバの零分散波長λ0が長波長側にシフトしている。零分散波長λ0の波長シフトの量は、第２の実施形態と同様に、波長変換後のＷＤＭ信号２のパワーが目的レベルに一致するように決定される。
【００７９】
図１９は、第３の実施形態のフィードバック制御の一例を示す。この実施例では、波長変換器（１４、２２）は、励起光源４１、４２、高非線形ファイバ４３、温度調節器４６を備える。温度調節器４６は、高非線形ファイバ４３の近傍に設けられ、後述する零分散波長調整部４５による制御に従って高非線形ファイバ４３の温度を調整する。温度調節器４６は、例えば、ヒータまたはペルチェ素子等により実現される。
【００８０】
零分散波長調整部４５は、光チャネルモニタ２６のモニタ結果に基づいて、高非線形ファイバ４３の零分散波長λ0を調整する。高非線形ファイバ４３の零分散波長λ0は、温度に応じて変化するものとする。よって、零分散波長調整部４５は、光チャネルモニタ２６によりモニタされるＷＤＭ信号のパワーが目標レベルに近づくように、高非線形ファイバ４３の温度を調整する。高非線形ファイバ４３の温度は、温度調節器４６を制御することにより調整される。この結果、図１８（ｂ）に示す零分散波長λ0の調整が実現される。
【００８１】
なお、第２の実施形態では、波長変換後のＷＤＭ信号２のパワーを大きくするために入力ＷＤＭ信号の波長をシフトさせると、ＷＤＭ信号２の波長もシフトしてしまう。一方、第３の実施形態では、波長変換後のＷＤＭ信号２のパワーを大きくするために零分散波長λ0をシフトさせても、ＷＤＭ信号２の波長はシフトしない。したがって、第３の実施形態では、励起光Ｐ１、Ｐ２の波長をシフトさせる処理（即ち、図１５（ａ）に示す波長シフト）は不要である。
【００８２】
図２０は、第３の実施形態において光パワーを調整する方法の一例を示すフローチャートである。なお、Ｓ２１、Ｓ２５〜Ｓ２８は、図１０に示すＳ１、Ｓ２〜Ｓ５と実質的に同じである。すなわち、第３の実施形態では、第１の実施形態の手順に加えて、Ｓ２２〜Ｓ２４が実行される。
【００８３】
Ｓ２２において、光チャネルモニタ２６（２６ａ、２６ｂ、２６ｃ）は、受信ＷＤＭ信号のスペクトルをモニタする。すなわち、光チャネルモニタ２６は、波長変換後のＷＤＭ信号の各波長チャネルのパワーをモニタする。Ｓ２３において、送信部２７は、光チャネルモニタ２６のモニタ結果を零分散波長調整部４５に通知する。すなわち、波長変換後のＷＤＭ信号の各波長チャネルのパワーを表すモニタ情報が零分散波長調整部４５に通知される。
【００８４】
Ｓ２４において、零分散波長調整部４５は、光チャネルモニタ２６のモニタ結果に基づいて、波長変換後のＷＤＭ信号のパワーが目的レベルに近づくように、高非線形ファイバ４３の温度を調整する。このとき、零分散波長調整部４５は、モニタ結果に応じて温度調節器４６を制御する。この制御により、例えば、図１８（ｂ）に示す波長シフトが実現される。
【００８５】
この後、Ｓ２５〜Ｓ２８が実行される。Ｓ２５〜Ｓ２８は、上述したように、図１０の示すＳ２〜Ｓ５と実質的に同じである。すなわち、光チャネルモニタ２６のモニタ結果に基づいて、ＷＤＭ信号の各波長チャネルの送信パワーが調整される。即ち、図１５（ｂ）に示すプリエンファシスが実現される。
【００８６】
＜第４の実施形態＞
２つの励起光を使用して波長変換を行う方式では、上述したように、入力ＷＤＭ信号の入力側および出力側にそれぞれ波長変換後のＷＤＭ信号が現れる。ここで、第２〜第３の実施形態では、波長変換器から出力される２つのＷＤＭ信号のうちの一方が使用される。これに対して、第４の実施形態では、波長変換器から出力される２つのＷＤＭ信号の双方が使用され得る。したがって、第４の実施形態においては、波長変換器から出力される２つのＷＤＭ信号のパワーの偏りを抑制するフィードバック制御が行われる。
【００８７】
図２１〜図２２は、第４の実施形態による波長変換の一例を示す。この実施例では、ＷＤＭ信号および１組の励起光Ｐ１、Ｐ２が波長変換器に入力される。但し、図２１（ａ）に示すように、波長変換器から出力される２つのＷＤＭ信号のパワーが互いに異なっている。具体的には、ＷＤＭ信号１と比較して、ＷＤＭ信号２のパワーが大きい。
【００８８】
この場合、図２１（ｂ）に示すように、ＷＤＭ信号１のパワーを大きくし、且つ、ＷＤＭ信号２のパワーを小さくするように、波長変換前のＷＤＭ信号の波長が調整される。この実施例では、波長変換前のＷＤＭ信号の波長が長波長側にシフトしている。この結果、ＷＤＭ信号１およびＷＤＭ信号２のパワーが互いにほぼ同じになる。この後、図２２に示すように、変換後のＷＤＭ信号（即ち、ＷＤＭ信号１、２）の波長チャネルのパワーを均一にするためのプリエンファシスが行われる。なお、第４の実施形態のフィードバック制御は、例えば、図７または図１６に示す構成により実現される。
【００８９】
図２３は、第４の実施形態において光パワーを調整する方法の一例を示すフローチャートである。なお、Ｓ３１、Ｓ３５〜Ｓ３８は、図１０に示すＳ１、Ｓ２〜Ｓ５と実質的に同じである。すなわち、第４の実施形態では、第１の実施形態の手順に加えて、Ｓ３２〜Ｓ３４が実行される。
【００９０】
Ｓ３２において、光チャネルモニタ２６（２６ａ、２６ｂ、２６ｃ）は、受信ＷＤＭ信号のスペクトルをモニタする。すなわち、光チャネルモニタ２６は、波長変換後のＷＤＭ信号の各波長チャネルのパワーをモニタする。このとき、光チャネルモニタ２６は、波長変換前のＷＤＭ信号に対して短波長側および長波長側にそれぞれ生成されるＷＤＭ信号をモニタする。図２１に示す例では、ＷＤＭ信号１およびＷＤＭ信号２がそれぞれモニタされる。
【００９１】
Ｓ３３において、送信部２７は、光チャネルモニタ２６のモニタ結果をＷＤＭ調整部１６に通知する。すなわち、波長変換後の各ＷＤＭ信号の各波長チャネルのパワーを表すモニタ情報がＷＤＭ調整部１６に通知される。
【００９２】
Ｓ３４において、ＷＤＭ調整部１６は、光チャネルモニタ２６のモニタ結果に基づいて、波長変換により得られる２つのＷＤＭ信号のパワーが互いにほぼ同じになるように、各送信器１１の出力光の波長を調整する。このとき、例えば、図２１（ｂ）に示す波長シフトが行われる。
【００９３】
この後、Ｓ３５〜Ｓ３８が実行される。Ｓ３５〜Ｓ３８は、上述したように、図１０の示すＳ２〜Ｓ５と実質的に同じである。すなわち、光チャネルモニタ２６のモニタ結果に基づいて、ＷＤＭ信号の各波長チャネルの送信パワーが調整される。即ち、図２２に示すプリエンファシスが実現される。
【００９４】
なお、第２〜第３の実施形態において記載したように、波長変換前のＷＤＭ信号の波長をシフトさせる代わりに、高非線形ファイバの零分散波長をシフトさせることで、波長変換後のＷＤＭ信号のパワーを調整することが可能である。よって、第４の実施形態においても、図２１に示すＷＤＭ信号の波長シフトの代わりに、高非線形ファイバの零分散波長をシフトさせることで、波長変換により得られる２つのＷＤＭ信号のパワーを互いにほぼ同じにすることができる。
【００９５】
たとえば、図２４（ａ）に示す例では、波長変換前のＷＤＭ信号の中心波長が、高非線形ファイバの零分散波長λ0よりも短く、ＷＤＭ信号１と比較してＷＤＭ信号２のパワーが大きくなっている。この場合、図２４（ｂ）に示すように、ＷＤＭ信号１およびＷＤＭ信号２のパワーが互いにほぼ同じになるように、零分散波長λ0が短波長側にシフトされる。なお、図２４に示す零分散波長λ0の調整は、例えば、図１９に示す構成により実現される。
【００９６】
＜第５の実施形態＞
上述した第１〜第４の実施形態では、波長変換後のＷＤＭ信号の各波長チャネルのパワーを均一にするためのフィードバック制御が行われる（図９（ｃ）に示す例を除く）。ただし、波長変換後のＷＤＭ信号の各波長チャネルのパワーが大きすぎると、波長チャネル間で発生する非線形雑音に起因して信号品質（例えば、ビット誤り率）が劣化するおそれがある。そこで、第５の実施形態では、波長変換後のＷＤＭ信号の各波長チャネルのパワーを均一にするためのフィードバック制御に加えて、各波長チャネルの信号品質を改善するためのフィードバック制御が実行される。
【００９７】
図２５に示す例では、波長チャネル１〜ｎが多重化されたＷＤＭ信号の波長が変換されている。このとき、波長変換後のＷＤＭ信号の各波長チャネルのパワーを均一にし、且つ各波長チャネルの信号品質を改善するフィードバック制御が行われる。この結果、波長チャネル１の送信パワーは、プリエンファシス前よりも大きくなっている。また、波長チャネル２の送信パワーは、プリエンファシス前とほぼ同じである。ところが、波長チャネル３〜ｎの送信パワーは、プリエンファシス前よりも小さくなっている。すなわち、第５の実施形態では、波長チャネル間で発生する非線形雑音を抑制するために、プリエンファシスにより１または複数の波長チャネルの送信パワーが削減されることがある。
【００９８】
図２６は、第５の実施形態において光パワーを調整する方法の一例を示すフローチャートである。なお、Ｓ４１〜４４、Ｓ４８は、図１０に示すＳ１〜４、Ｓ５と実質的に同じである。すなわち、第５の実施形態では、第１の実施形態の手順に加えて、Ｓ４５〜Ｓ４７が実行される。
【００９９】
Ｓ４５〜Ｓ４７は、この実施例では、Ｓ４２〜Ｓ４４の後に実行される。すなわち、Ｓ４５〜Ｓ４７が実行されるとき、波長変換後のＷＤＭ信号の各波長チャネルのパワーが均一化されているものとする。
【０１００】
Ｓ４５において、不図示の誤り率測定回路は、各波長チャネルのビット誤り率を測定する。ビット誤り率は、例えば、図８に示す光伝送システムでは、各受信器２５ａ〜２５ｃの出力信号を利用して測定される。Ｓ４６において、不図示の送信部は、各波長チャネルについて測定された誤り率を表す測定情報をＷＤＭ調整部１６に送信する。
【０１０１】
Ｓ４７において、ＷＤＭ調整部１６は、各波長チャネルについて測定された誤り率に基づいて、各波長チャネルの送信パワーを調整する。一例としては、各波長チャネルの誤り率が所定の目標値よりも小さくなるように、対応する波長チャネルの送信パワーが調整される。このとき、波長変換後のＷＤＭ信号の各波長チャネルのパワーを均一に保持しながら、各波長チャネルの誤り率が所定の目標値よりも小さくなるように、対応する波長チャネルの送信パワーを調整してもよい。ただし、各波長チャネルの誤り率を所定の目標値よりも小さくするために、波長変換後のＷＤＭ信号の各波長チャネルのパワーが均一でなくなってもよい。
【０１０２】
＜第６の実施形態＞
図２７は、本発明の第６の実施形態に係わる光伝送システムの一例を示す。なお、複数の送信器１１ａ〜１１ｃ、ＷＤＭ合波器１２ａ〜１２ｃ、波長変換器１４Ｌ、１４Ｓ、合波器１５、分離器２１、波長変換器２２Ｌ、２２Ｓ、ＷＤＭ分波器２４ａ〜２４ｃ、複数の受信器２５ａ〜２５ｃ、光チャネルモニタ２６ａ〜２６ｃは、図８および図２７において互いに実質的に同じである。
【０１０３】
第６の実施形態では、伝送路上に中継ノードが設けられている。図２７に示す例では、伝送路上に中継ノード５０（５０Ａ、５０Ｂ）が実装されている。
【０１０４】
図２８は、中継ノード５０の一例を示す。この実施例では、中継ノード５０は、ＲＯＡＤＭ（reconfigurable optical add-drop multiplexer）ノードである。この場合、中継ノード５０は、例えば、図２８（ａ）に示すように、増幅器５１、分岐挿入部５２、増幅器５３、分配器５４、合波器５５を備える。さらに、中継ノード５０は、他のノードに制御情報を送信する機能、および他のノードから制御情報を受信する機能を備える。
【０１０５】
増幅器５１は、受信ＷＤＭ信号を増幅する。分岐挿入部５２は、受信ＷＤＭ信号から指定された波長チャネルの光信号を分岐して分配器５３に導く。また、分岐挿入部５２は、合波器５５から受信する光信号を受信ＷＤＭ信号の空きチャネルに挿入する。なお、分岐挿入部５２は、各波長チャネルの光パワーを調整する機能を備える。増幅器５３は、分岐挿入部５２から出力されるＷＤＭ信号を増幅する。分配器５４は、分岐挿入部５２により受信ＷＤＭ信号から分岐された光信号を受信器（Ｒｘ）に分配する。合波器５５は、送信器（Ｔｘ）から出力される光信号を分岐挿入部５２に導く。
【０１０６】
分岐挿入部５２は、図２８（ｂ）に示すように、波長選択スイッチ（ＷＳＳ）５６、増幅器５７、光チャネルモニタ（ＯＣＭ）５８を備える。波長選択スイッチ５６は、ＷＤＭ信号の各波長チャネルのパワーを調整する機能を備える。この調整機能は、例えば、可変光減衰器により実現される。増幅器５７は、波長選択スイッチ５６から出力されるＷＤＭ信号を増幅する。光チャネルモニタ５８は、波長選択スイッチ５６から出力されるＷＤＭ信号の各波長チャネルのパワーをモニタする。
【０１０７】
中継ノード５０は、光チャネルモニタ５８のモニタ結果を他のノードに通知することができる。図２７に示す例では、中継ノード５０Ａは、光チャネルモニタ５８のモニタ結果を含む制御情報をＷＤＭ調整部１６（１６ａ〜１６ｃ）に送信している。そうすると、ＷＤＭ調整部１６は、このモニタ結果に基づいて各波長チャネルの送信パワーを調整する。この場合、波長変換器１４Ｌ、１４Ｓにより波長変換が行われたＷＤＭ信号の各波長チャネルのパワーが均一化される。なお、ＷＤＭ信号の送信元ノードに光チャネルモニタ５８のモニタ結果を通知する中継ノードは、送信元ノードに隣接する中継ノードであることが好ましい。
【０１０８】
また、光チャネルモニタ２６（２６ａ〜２６ｃ）のモニタ結果は、伝送路上に設けられている中継ノード５０に通知される。図２７に示す例では、光チャネルモニタ２６のモニタ結果は、中継ノード５０Ｂに通知されている。そうすると、中継ノード５０Ｂは、波長選択スイッチ５６のパワー調整機能を利用して、モニタ結果に基づいて各波長チャネルのパワーを調整する。この場合、波長変換器２２Ｌ、２２Ｓにより波長変換が行われたＷＤＭ信号の各波長チャネルのパワーが均一化される。なお、宛先ノードから通知されるモニタ結果に基づいて各波長チャネルのパワーを調整する中継ノードは、宛先ノードに隣接する中継ノードであることが好ましい。
【０１０９】
なお、ＷＤＭ調整部１６（１６ａ〜１６ｃ）、励起光波長調整部４４、零分散波長調整部４５は、たとえば、プロセッサおよびメモリを含むプロセッサシステムにより実現される。この場合、プロセッサがメモリに格納されているプログラムを実行することにより、ＷＤＭ調整部１６、励起光波長調整部４４、零分散波長調整部４５の機能が実現される。
【０１１０】
＜光チャネルモニタ＞
図２９〜図３１は、光チャネルモニタの構成例を示す。なお、図２９〜図３１に示す例では、入力ＷＤＭ信号が光カプラ７０により分岐され、光チャネルモニタに導かれるものとする。
【０１１１】
図２９に示す例では、入力ＷＤＭ信号は、光ファイバおよびレンズ７１により波長可変光フィルタ７２に導かれる。波長可変光フィルタ７２の通過波長は、ＷＤＭ信号の波長帯をスキャンするように制御される。受光器（ＰＤ）７３は、波長可変光フィルタ７２の出力光を電気信号に変換する。
【０１１２】
制御回路７４は、受光器７３の出力信号に基づいて光パワーを表すデジタル信号を生成する。ＤＳＰ（digital signal processor）７５は、制御回路７４により生成されるデジタル信号に基づいて、各波長チャネルのパワーを表すモニタデータを生成する。このモニタデータは、ＲＡＭ７６に格納される。
【０１１３】
図３０に示す例では、入力ＷＤＭ信号は、光ファイバ８１、レンズ８２、グレーティング８３、レンズ８４を介してＰＤアレイ８５に導かれる。このとき、入力ＷＤＭ信号は、グレーティング８３において波長ごとに分離される。すなわち、ＷＤＭ信号の各波長チャネルの光は、ＰＤアレイ８５の異なる位置に入射される。よって、各波長チャネルの光パワーを表すモニタデータが得られる。なお、この構成においては、グレーティング８３の代わりにＡＷＧ（arrayed waveguide gratings）が実装されてもよい。
【０１１４】
図３１に示す例では、入力ＷＤＭ信号は、レンズ９１、グレーティング９２、ＭＥＭＳミラー９３、レンズ９４を介して受光器９５に導かれる。このとき、入力ＷＤＭ信号は、グレーティング９２において波長ごとに分離される。すなわち、ＷＤＭ信号の各波長チャネルの光は、ＭＥＭＳミラー９３の異なるミラーに入射される。したがって、ＭＥＭＳミラー９３の角度を制御することにより、各波長チャネルの光を順番に受光器９５に導くことができる。この結果、各波長チャネルの光パワーを表すモニタデータが得られる。
【０１１５】
上述の光チャネルモニタは、ＷＤＭ伝送システムのノードに実装される。ここで、既存のＷＤＭ伝送システムは、主に、Ｃバンドに配置されるＷＤＭ信号を伝送する。ただし、ＷＤＭ伝送システムの更なる大容量化を図るために、Ｃバンドに配置されるＷＤＭ信号に加えて、Ｌバンド及び／又はＳバンドに配置されるＷＤＭ信号を伝送する構成が提案されている。この場合、光チャネルモニタは、Ｃバンドに配置されるＷＤＭ信号だけでなく、Ｌバンド及び／又はＳバンドに配置されるＷＤＭ信号をモニタできることが好ましい。
【０１１６】
ところが、既存の光チャネルモニタでモニタ可能な波長範囲は広くない。例えば、図２９に示す構成では、波長可変光フィルタ７２の温度を制御することで通過波長が調整される。ここで、例えば、このチャネルモニタでＣバンドおよびＬバンドの双方をモニタする場合、波長可変光フィルタ７２の温度を１００度以上変化させる必要がある。このため、この光チャネルモニタでＣバンドおよびＬバンドの双方をモニタすることは困難である。この問題は、ＣバンドおよびＳバンドの双方をモニタするケースでも同様である。したがって、Ｃバンドに配置されるＷＤＭ信号に加えて、Ｌバンド及び／又はＳバンドに配置されるＷＤＭ信号を伝送する構成においては、ＷＤＭ信号ごとに光チャネルモニタを設ける必要があり、ＷＤＭ伝送システムのコストが高くなるおそれがある。そこで、１つの波長帯（例えば、Ｃバンド）をモニタするための光チャネルモニタを用いて複数の波長帯（すなわち、Ｃバンド、Ｌバンド、Ｓバンド）にそれぞれ配置されるＷＤＭ信号をモニタできる構成について検討する。
【０１１７】
図３２は、光チャネルモニタシステムの第１の実施例を示す。この例では、Ｃバンドに配置されるＷＤＭ信号およびＬバンドに配置されるＷＤＭ信号が合波されて伝送されるものとする。以下の記載では、Ｃバンドに配置されるＷＤＭ信号を「ＷＤＭ（Ｃ）信号」と呼び、Ｌバンドに配置されるＷＤＭ信号を「ＷＤＭ（Ｌ）信号」と呼ぶことがある。
【０１１８】
第１の実施例の光チャネルモニタシステムは、図３２に示すように、分離フィルタ１０１、波長変換器１０２、２×１スイッチ１０３、光チャネルモニタ１０４、コントローラ１０５を備える。そして、ＷＤＭ（Ｃ）信号およびＷＤＭ（Ｌ）信号を含む光信号が光チャネルモニタシステムに入力される。
【０１１９】
分離フィルタ１０１は、ＷＤＭ（Ｃ）信号とＷＤＭ（Ｌ）信号とを分離する。即ち、分離フィルタ１０１は、入力光信号からＷＤＭ（Ｃ）信号およびＷＤＭ（Ｌ）信号をそれぞれ抽出する。波長変換器１０２は、ＷＤＭ（Ｌ）信号がＣバンドに配置されるように波長変換を行う。以下の記載では、波長変換器１０２から出力されるＷＤＭ信号を「ＷＤＭ（Ｌ→Ｃ）信号」と呼ぶことがある。
【０１２０】
２×１スイッチ１０３は、コントローラ１０５から与えられる選択指示に従って、ポートＰ１またはポートＰ２の入力光を選択する。ポートＰ１には、ＷＤＭ（Ｃ）信号が入力される。また、ポートＰ２には、ＷＤＭ（Ｌ→Ｃ）信号が入力される。光チャネルモニタ１０４は、コントローラ１０５から与えられるモニタ指示に従って、２×１スイッチ１０３から出力されるＷＤＭ信号の各波長チャネルのパワーをモニタする。すなわち、２×１スイッチ１０３においてポートＰ１が選択されるときは、光チャネルモニタ１０４はＷＤＭ（Ｃ）信号をモニタする。一方、２×１スイッチ１０３においてポートＰ２が選択されるときは、光チャネルモニタ１０４はＷＤＭ（Ｌ→Ｃ）信号をモニタする。なお、光チャネルモニタ１０４は、Ｃバンドの光をモニタするように構成されている。
【０１２１】
ここで、ＷＤＭ（Ｌ→Ｃ）信号は、波長変換器１０２を用いてＷＤＭ（Ｌ）信号の波長を変換することで生成される。よって、ＷＤＭ（Ｌ→Ｃ）信号をモニタすることにより、実質的にＷＤＭ（Ｌ）信号の各波長チャネルのパワーがモニタされる。すなわち、図３２に示す光チャネルモニタシステムは、Ｃバンド用の光チャネルモニタ１０４を用いてＣバンドに配置されるＷＤＭ信号およびＬバンドに配置されるＷＤＭ信号の双方をモニタすることができる。
【０１２２】
波長変換器１０２は、例えば、非線形光学結晶および励起光源を用いて実現される。この場合、非線形光学結晶は、例えば、ニオブ酸リチウムで形成される。この技術は、例えば特開２０００−０７５３３０号公報に開示されている。或いは、波長変換器１０２は、
ＤＦＢ−ＬＤ（distributed feedback laser diode）で実現してもよい。
【０１２３】
図３３は、図３２に示す光チャネルモニタシステムの動作の一例を示すフローチャートである。なお、この例では、波長変換器１０２によりＷＤＭ（Ｌ）信号から生成されるＷＤＭ（Ｌ→Ｃ）信号が、２×１スイッチ１０３のポートＰ２に入力されるものとする。
【０１２４】
Ｓ１０１において、コントローラ１０５は、ポートＰ１を指定する選択指示を２×１スイッチ１０３に与える。そうすると、２×１スイッチ１０３は、ポートＰ１に入力されるＷＤＭ（Ｃ）信号を選択して光チャネルモニタ１０４に導く。Ｓ１０２において、コントローラ１０５は、光チャネルモニタ１０４にモニタ指示を与える。そうすると、光チャネルモニタ１０４は、ＷＤＭ（Ｃ）信号の各波長チャネルのパワーをモニタする。
【０１２５】
Ｓ１０３において、コントローラ１０５は、ポートＰ２を指定する選択指示を２×１スイッチ１０３に与える。そうすると、２×１スイッチ１０３は、ポートＰ２に入力されるＷＤＭ（Ｌ→Ｃ）信号を選択して光チャネルモニタ１０４に導く。Ｓ１０４において、コントローラ１０５は、光チャネルモニタ１０４にモニタ指示を与える。そうすると、光チャネルモニタ１０４は、ＷＤＭ（Ｌ→Ｃ）信号の各波長チャネルのパワーをモニタする。なお、コントローラ１０５は、Ｓ１０３〜Ｓ１０４が実行される期間だけ波長変換器１０２を起動してもよい。
【０１２６】
図３４は、光チャネルモニタシステムの第２の実施例を示す。第１の実施例と同様に、第２の実施例の光チャネルモニタシステムも、分離フィルタ１０１、波長変換器１０２、２×１スイッチ１０３、光チャネルモニタ１０４、コントローラ１０５を備える。但し、第１の実施例および第２の実施例において、波長変換器１０２および２×１スイッチ１０３の配置が互いに異なっている。
【０１２７】
分離フィルタ１０１により抽出されるＷＤＭ（Ｃ）信号およびＷＤＭ（Ｌ）信号は、２×１スイッチ１０３のポートＰ１およびポートＰ２にそれぞれ導かれる。２×１スイッチ１０３は、コントローラ１０５から与えられる選択指示に従って、ポートＰ１またはポートＰ２の入力光を選択する。また、波長変換器１０２は、コントローラ１０５から与えられるオン／オフ指示が「オン」を表すときに波長変換を実行する。
【０１２８】
コントローラ１０５は、２×１スイッチ１０３および波長変換器１０２を制御する。具体的には、２×１スイッチ１０３がポートＰ１の入力光を選択するときに、波長変換器１０２が波長変換を実行しないように、２×１スイッチ１０３および波長変換器１０２が制御される。また、２×１スイッチ１０３がポートＰ２の入力光を選択するときに、波長変換器１０２が波長変換を実行するように、２×１スイッチ１０３および波長変換器１０２が制御される。
【０１２９】
図３５は、図３４に示す光チャネルモニタシステムの動作の一例を示すフローチャートである。なお、このフローチャートの処理が開始されるときに、波長変換器１０２はオフ状態であるものとする。
【０１３０】
Ｓ１１１において、コントローラ１０５は、ポートＰ１を指定する選択指示を２×１スイッチ１０３に与える。そうすると、２×１スイッチ１０３は、ポートＰ１に入力されるＷＤＭ（Ｃ）信号を選択して波長変換器１０２に導く。ただし、このとき、波長変換器１０２はオフ状態である。したがって、ＷＤＭ（Ｃ）信号は、波長変換されることなく、光チャネルモニタ１０４に導かれる。Ｓ１１２において、コントローラ１０５は、光チャネルモニタ１０４にモニタ指示を与える。そうすると、光チャネルモニタ１０４は、ＷＤＭ（Ｃ）信号の各波長チャネルのパワーをモニタする。Ｓ１１３において、コントローラ１０５は、オン／オフ指示を利用して波長変換器１０２をオン状態に制御する。
【０１３１】
Ｓ１１４において、コントローラ１０５は、ポートＰ２を指定する選択指示を２×１スイッチ１０３に与える。そうすると、２×１スイッチ１０３は、ポートＰ２に入力されるＷＤＭ（Ｌ）信号を選択して波長変換器１０２に導く。このとき、波長変換器１０２はオン状態である。したがって、ＷＤＭ（Ｌ）信号は、波長変換器１０２によりＣバンドに配置される。すなわち、波長変換器１０２によりＷＤＭ（Ｌ→Ｃ）信号が生成されて光チャネルモニタ１０４に導かれる。Ｓ１１５において、コントローラ１０５は、光チャネルモニタ１０４にモニタ指示を与える。そうすると、光チャネルモニタ１０４は、ＷＤＭ（Ｌ→Ｃ）信号の各波長チャネルのパワーをモニタする。Ｓ１１６において、コントローラ１０５は、オン／オフ指示を利用して波長変換器１０２をオフ状態に制御する。
【０１３２】
上述のように、図３２〜図３５に示す例では、Ｌバンドに配置されたＷＤＭ信号（すなわち、ＷＤＭ（Ｌ）信号）は、Ｃバンドに配置された後、光チャネルモニタ１０４によりモニタされる。ところが、波長変換器１０２の変換効率は、波長特性（または、波長依存性）を有する。このため、波長変換後のＷＤＭ信号をモニタする構成では、波長変換に起因する誤差が発生する。よって、以下に記載する第３〜第４の実施例では、波長変換器１０２の変換効率の波長特性が補償される。
【０１３３】
図３６は、光チャネルモニタシステムの第３の実施例を示す。なお、分離フィルタ１０１、波長変換器１０２、２×１スイッチ１０３、光チャネルモニタ１０４、コントローラ１０５は、図３２に示す第１の実施例および図３６に示す第３の実施例において実質的に同じである。
【０１３４】
光カプラ１１１は、光スプリッタとして使用され、入力ＷＤＭ信号を分岐して主ＷＤＭ信号およびモニタ用ＷＤＭ信号を生成する。ここで、主ＷＤＭ信号は、データを伝送するために使用される。したがって、品質の良いデータ伝送を実現するためには、主ＷＤＭ信号の各波長チャネルのパワーが適切であることが要求される。そこで、第３の実施例の光チャネルモニタシステムは、光カプラ１１１から出力される主ＷＤＭ信号が伝搬する光パス上の任意の点（以下、規定点）において各波長チャネルのパワーを精度よくモニタする機能を備える。
【０１３５】
メモリ１１２には、光カプラ１１１における損失および光カプラ１１１から光チャネルモニタ１０４に至る経路の損失を補償するための補正値が格納される。この補正値は、波長チャネルごとに予め計算される。一例として、規定点におけるパワーが既知である光信号が光カプラ１１１に入力される。このとき、この光信号のパワーが光チャネルモニタ１０４を用いて測定される。この場合、規定点における既知のパワーと光チャネルモニタ１０４により得られた測定値との差分が補正値を表す。たとえば、規定点におけるパワーが０ｄＢｍである光信号が光カプラ１１１に入力されたとき、光チャネルモニタ１０４による測定値が−２０ｄＢｍであったものとする。この場合、補正値は２０ｄＢｍである。なお、補正値を計算する処理は、波長チャネルごとに行ってもよいし、ＷＤＭ信号中の複数の波長チャネルに対して一括して行ってもよい。
【０１３６】
補正値は、例えば、各波長チャネルについて生成される。このとき、Ｌバンドに配置されるＷＤＭ信号中の光信号は、波長変換器１０２において波長が変換されて光チャネルモニタ１０４に導かれる。よって、上述の方法で生成される補正値は、波長変換器１０２の変換効率の波長特性を補償する。すなわち、波長変換器１０２の変換効率の波長特性を補償するための補正値がメモリ１１２に格納される。
【０１３７】
図３７は、図３６に示す光チャネルモニタシステムの動作の一例を示すフローチャートである。なお、図３６に示す第３の実施例では、補正値を算出する手順（図３７（ａ））およびＷＤＭ信号をモニタする手順（図３７（ｂ））が実行される。
【０１３８】
Ｓ１２１において、コントローラ１０５は、ポートＰ１を指定する選択指示を２×１スイッチ１０３に与える。Ｓ１２２において、規定点における各波長チャネルのパワーが既知である、Ｃバンドに配置されたＷＤＭ信号が入力される。このとき、２×１スイッチ１０３はポートＰ１の入力光を選択するので、このＷＤＭ信号は光チャネルモニタ１０４に導かれる。Ｓ１２３において、光チャネルモニタ１０４は、ＷＤＭ信号の各波長チャネルのパワーをモニタする。
【０１３９】
Ｓ１２４において、コントローラ１０５は、各波長チャネルについて、規定点における既知のパワーとＳ１２３で得られたモニタ値との差分に基づいて補正値Ｃを算出する。算出された補正値Ｃは、メモリ１１２に格納される。
【０１４０】
Ｓ１２５において、コントローラ１０５は、ポートＰ２を指定する選択指示を２×１スイッチ１０３に与える。Ｓ１２６において、規定点における各波長チャネルのパワーが既知である、Ｌバンドに配置されたＷＤＭ信号が入力される。このとき、２×１スイッチ１０３はポートＰ２の入力光を選択する。また、Ｓ１２６で入力されたＷＤＭ信号は、波長変換器１０２によりＣバンドに配置される。そして、ＬバンドからＣバンドに変換されたＷＤＭ信号が光チャネルモニタ１０４に導かれる。Ｓ１２７において、光チャネルモニタ１０４は、ＷＤＭ信号の各波長チャネルのパワーをモニタする。
【０１４１】
Ｓ１２８において、コントローラ１０５は、各波長チャネルについて、規定点における既知のパワーとＳ１２７で得られたモニタ値との差分に基づいて補正値Ｌを算出する。算出された補正値Ｌは、メモリ１１２に格納される。
【０１４２】
このように、ＣバンドのＷＤＭ信号の各波長チャネルのパワーを補正するための補正値Ｃ、およびＬバンドのＷＤＭ信号の各波長チャネルのパワーを補正するための補正値Ｌが算出される。この後、これらの補正値を利用してＷＤＭ信号がモニタされる。
【０１４３】
図３７（ｂ）に示すように、第３の実施例においてＷＤＭ信号をモニタする手順では、図３３に示すＳ１０１〜Ｓ１０４に加えて、Ｓ１３１およびＳ１３２が実行される。すなわち、Ｓ１３１において、コントローラ１０５は、メモリ１１２に格納されている補正値Ｃを利用して、Ｓ１０２で得られたモニタ値を補正することで、規定点におけるＷＤＭ信号の各波長チャネルのパワーを算出する。同様に、Ｓ１３２において、コントローラ１０５は、メモリ１１２に格納されている補正値Ｌを利用して、Ｓ１０４で得られたモニタ値を補正することで、規定点におけるＷＤＭ信号の各波長チャネルのパワーを算出する。この方法によれば、波長変換器１０２の変換効率の波長特性が補償されるので、ＷＤＭ信号の各波長チャネルのパワーが精度よく検出される。
【０１４４】
図３８は、光チャネルモニタシステムの第４の実施例を示す。なお、分離フィルタ１０１、波長変換器１０２、２×１スイッチ１０３、光チャネルモニタ１０４、コントローラ１０５は、図３４に示す第２の実施例および図３８に示す第４の実施例において実質的に同じである。また、光カプラ１１１およびメモリ１１２は、図３６に示す第３の実施例および図３８に示す第４の実施例において実質的に同じである。
【０１４５】
図３９は、図３８に示す光チャネルモニタシステムの動作の一例を示すフローチャートである。なお、図３８に示す第４の実施例では、補正値を算出する手順（図３９（ａ））およびＷＤＭ信号をモニタする手順（図３９（ｂ））が実行される。
【０１４６】
図３７のＳ１２１〜Ｓ１２４と同様に、Ｓ１４１〜Ｓ１４４において、Ｃバンドに配置されたＷＤＭ信号の各波長チャネルのパワーを補正するための補正値Ｃが算出される。なお、Ｓ１４１〜Ｓ１４４が実行されるときは、波長変換器１０２がオフ状態である。そして、Ｓ１４５において、コントローラ１０５は、波長変換器１０２をオン状態に制御する。続いて、図３７のＳ１２５〜Ｓ１２８と同様に、Ｓ１４６〜Ｓ１４９において、Ｌバンドに配置されたＷＤＭ信号の各波長チャネルのパワーを補正するための補正値Ｌが算出される。この後、Ｓ１５０において、コントローラ１０５は、波長変換器１０２をオフ状態に制御する。
【０１４７】
このように、第３の実施例と同様に、ＣバンドのＷＤＭ信号の各波長チャネルのパワーを補正するための補正値Ｃ、およびＬバンドのＷＤＭ信号の各波長チャネルのパワーを補正するための補正値Ｌが算出される。
【０１４８】
第４の実施例においてＷＤＭ信号をモニタする手順では、図３５に示すＳ１１１〜Ｓ１１６に加えて、Ｓ１３１〜Ｓ１３２が実行される。Ｓ１３１〜Ｓ１３２は、第３の実施例および第４の実施例において実質的に同じである。すなわち、光チャネルモニタ１０４により得られたモニタ値が、補正値Ｃまたは補正値Ｌを利用して補正される。
【０１４９】
なお、図３２〜図３９に示す例では、光チャネルモニタシステムは、２つの波長帯のＷＤＭ信号をモニタするが、３以上の波長帯のＷＤＭ信号をモニタしてもよい。例えば、３つの波長帯（Ｃバンド、Ｌバンド、Ｓバンド）のＷＤＭ信号をモニタする光チャネルモニタシステムは、図４０に示す構成で実現される。
【０１５０】
分離フィルタ１２１は、入力光からＣバンドＷＤＭ信号、ＬバンドＷＤＭ信号、ＳバンドＷＤＭ信号を抽出する。ＣバンドＷＤＭ信号は３×１スイッチ１２４のポートＰ１に導かれ、ＬバンドＷＤＭ信号は波長変換器１２２に導かれ、ＳバンドＷＤＭ信号は波長変換器１２３に導かれる。
【０１５１】
波長変換器１２２は、ＬバンドＷＤＭ信号の波長を変換してＣバンドに配置する。波長変換器１２２から出力されるＷＤＭ信号は、３×１スイッチ１２４のポートＰ２に導かれる。波長変換器１２３は、ＳバンドＷＤＭ信号の波長を変換してＣバンドに配置する。波長変換器１２３から出力されるＷＤＭ信号は、３×１スイッチ１２４のポートＰ３に導かれる。
【０１５２】
３×１スイッチ１２４は、コントローラ１２５から与えられる指示に従って、ポートＰ１、ポートＰ２、またはポートＰ３の入力光を選択する。光チャネルモニタ１０４は、コントローラ１２５から与えられる指示に従って、３×１スイッチ１２４により選択されるＷＤＭ信号をモニタする。
【０１５３】
コントローラ１２５は、３×１スイッチ１２４および光チャネルモニタ１０４を制御する。具体的には、ＣバンドＷＤＭ信号をモニタするときは、コントローラ１２５は、ポートＰ１を指定する選択指示を３×１スイッチ１２４に与える。そうすると、ＣバンドＷＤＭ信号が光チャネルモニタ１０４に導かれるので、ＣバンドＷＤＭ信号がモニタされる。ＬバンドＷＤＭ信号をモニタするときは、コントローラ１２５は、ポートＰ２を指定する選択指示を３×１スイッチ１２４に与える。そうすると、波長変換器１２２から出力されるＷＤＭ信号が光チャネルモニタ１０４に導かれるので、ＬバンドＷＤＭ信号がモニタされる。ＳバンドＷＤＭ信号をモニタするときは、コントローラ１２５は、ポートＰ３を指定する選択指示を３×１スイッチ１２４に与える。そうすると、波長変換器１２３から出力されるＷＤＭ信号が光チャネルモニタ１０４に導かれるので、ＳバンドＷＤＭ信号がモニタされる。
【０１５４】
ところで、波長変換器１０２は、励起光のエネルギーを利用して入力光の波長を変換する。図４１に示す例では、波長変換器１０２において、ＷＤＭ信号がＬバンドからＣバンドに変換されている。このとき、励起光とＷＤＭ信号中の各光信号との間の相互作用により、各光信号の波長がシフトする。
【０１５５】
波長変換により生成される光信号（変換後の光信号）のパワーは、励起光のパワーに依存する。図４２（ａ）に示す例では、２０ｄＢｍの励起光が与えられたときに、入力光信号よりも１０ｄＢだけ低い光信号が生成されている。
【０１５６】
ところが、ＷＤＭ信号中の光信号間の相互作用により、新たな光信号が生成されることがある。図４１に示す例では、Ｌバンドにおいて、波長チャネルｎの光信号が波長チャネル１に対して励起光として作用し、意図しない光信号がＣバンド中に現れている。以下の記載では、この意図しない光信号を「擬似信号」と呼ぶことがある。
【０１５７】
擬似信号のパワーは、ＷＤＭ信号中の各波長チャネルの光信号のパワーに依存する。ただし、ＷＤＭ信号中の各光信号のパワーは、励起光と比較して大幅に小さい。このため、励起光により生成される本来の光信号のパワーと比較すると、擬似信号のパワーは大幅に小さくなる。図４２（ｂ）に示す例では、励起光として作用する光信号のパワーが０ｄＢｍであり、変換前の光信号のパワーが０ｄＢｍ〜−２０ｄＢｍであるときに、−４０ｄＢｍ〜−６０ｄＢｍの擬似信号の発生している。
【０１５８】
このように、波長変換器１０２においては、ＷＤＭ信号中の光信号間の相互作用により擬似信号が現れることがある。しかし、励起光により生成される本来の光信号と比較すると、擬似信号のパワーは大幅に小さい。したがって、適切な閾値レベルを設定することにより、光チャネルモニタ１０４によるモニタ結果において擬似信号が識別され得る。
【０１５９】
図４３は、擬似信号を考慮してＷＤＭ信号をモニタする動作の一例を示すフローチャートである。なお、このフローチャートは、図３２に示す光チャネルモニタシステムにおいて実行される。また、Ｓ１０１〜Ｓ１０４は、図３３および図４３において実質的に同じである。
【０１６０】
Ｓ１６１において、コントローラ１０５は、Ｓ１０２およびＳ１０４で得られた各波長チャネルについてのモニタ値と閾値とを比較する。このとき、モニタ値が閾値よりも大きければ、そのモニタ値は、波長変換により得られた正規の信号のパワーを表すと判定される。一方、モニタ値が閾値よりも小さければ、そのモニタ値は、擬似信号のパワーを表すと判定される。閾値は、例えば、図４２に示す実施例では、−３５ｄＢｍが使用される。この結果、波長変換後の波長帯において、信号と擬似信号とが識別される。
【０１６１】
図４４および図４５は、光チャネルモニタシステムが実装されるＷＤＭ伝送システムの例を示す。図４４および図４５に示すＷＤＭ伝送システムにおいて、ＣバンドＷＤＭ信号を伝送する構成は互いに同じである。すなわち、複数のＣバンド光送信部を使用してＣバンドＷＤＭ信号が生成され、複数のＣバンド光受信部を使用してＣバンドＷＤＭ信号が受信される。これに対して、ＬバンドＷＤＭ信号を伝送する構成は互いに図４４および図４５において異なっている。
【０１６２】
図４４に示すＷＤＭ伝送システムでは、複数のＬバンド光送信部を使用してＬバンドＷＤＭ信号が生成され、複数のＬバンド光受信部を使用してＬバンドＷＤＭ信号が受信される。これに対して、図４５に示すＷＤＭ伝送システムでは、複数のＣバンド光送信部およびＣバンドからＬバンドへの波長変換を行う波長変換器１３１を使用してＬバンドＷＤＭ信号が生成される。また、ＬバンドからＣバンドへの波長変換を行う波長変換器１３２および複数のＣバンド光受信部を使用してＬバンドＷＤＭ信号が受信される。
【０１６３】
光チャネルモニタシステム１３３は、送信ノードにおいて、ＣバンドＷＤＭ信号およびＬバンドＷＤＭ信号をモニタする。また、光チャネルモニタシステム１３４は、受信ノードにおいて、ＣバンドＷＤＭ信号およびＬバンドＷＤＭ信号をモニタする。なお、光チャネルモニタシステム１３３、１３４は、図３２〜図４３を参照しながら説明した構成により実現される。
【０１６４】
＜バリエーション＞
図１〜図２８に示す光伝送システムにおいて、図３２〜図４３に示す光チャネルモニタシステムを使用することが可能である。例えば、図８に示す光伝送システムでは、３個の光チャネルモニタ２６（２６ａ〜２６ｃ）が設けられ、各光チャネルモニタ２６がそれぞれＷＤＭ信号をモニタする。ここで、図８に示す光伝送システムに図３２〜図４３に示す光チャネルモニタシステムを実装すれば、光チャネルモニタの個数を削減できる。
【０１６５】
図４６は、図８に示す光伝送システムにおいて使用される光チャネルモニタシステムの一例を示す。この光チャネルモニタシステムは、ＷＤＭ信号の受信ノードに設けられる。また、この光チャネルモニタシステムには、ＣバンドＷＤＭ信号（ＷＤＭｂ(C)）、ＬバンドＷＤＭ信号（ＷＤＭａ(L)）、ＳバンドＷＤＭ信号（ＷＤＭｃ(S)）を含む光信号が入力される。
【０１６６】
分離器２１は、入力光信号からＷＤＭａ(L)、ＷＤＭｂ(C)、ＷＤＭｃ(S)をそれぞれ抽出する。ＷＤＭａ(L)は、波長変換器２２ＬによりＷＤＭａ(C)に変換される。なお、ＷＤＭａ(C)は、Ｃバンドに配置される。そして、ＷＤＭａ(C)は、３×１スイッチ１２４のポートＰ１に導かれる。ＷＤＭｂ(C)は、波長変換されることなく、３×１スイッチ１２４のポートＰ２に導かれる。ＷＤＭｃ(S)は、波長変換器２２ＳによりＷＤＭｃ(C)に変換される。なお、ＷＤＭｃ(C)も、Ｃバンドに配置される。そして、ＷＤＭｃ(C)は、３×１スイッチ１２４のポートＰ３に導かれる。
【０１６７】
３×１スイッチ１２４がポートＰ１を選択したときは、ＷＤＭａ(C)が光チャネルモニタ２６に導かれる。よって、この場合、光チャネルモニタ２６は、ＷＤＭａ信号の各波長チャネルのパワーをモニタする。３×１スイッチ１２４がポートＰ２を選択したときは、ＷＤＭｂ(C)が光チャネルモニタ２６に導かれる。よって、この場合、光チャネルモニタ２６は、ＷＤＭｂ信号の各波長チャネルのパワーをモニタする。３×１スイッチ１２４がポートＰ３を選択したときは、ＷＤＭｃ(C)が光チャネルモニタ２６に導かれる。よって、この場合、光チャネルモニタ２６は、ＷＤＭｃ信号の各波長チャネルのパワーをモニタする。なお、波長変換器２２Ｌ、２２Ｓ（及び、波長変換器１４Ｌ、１４Ｓ）の変換効率の波長特性を補償するためには、図３６〜図３９を参照して説明した補正値を使用して光チャネルモニタ２６のモニタ結果を補正してもよい。
【０１６８】
この構成によれば、Ｃバンドをモニタするための１個の光チャネルモニタを用いて、Ｃバンドを利用して伝送されるＷＤＭ信号だけでなく、Ｌバンドを利用して伝送されるＷＤＭ信号およびＳバンドを利用して伝送されるＷＤＭ信号をモニタできる。したがって、光伝送システムにおいてＷＤＭ信号をモニタして制御するためのコストが削減される。
【０１６９】
上述の実施例を含む実施形態に関し、さらに下記の付記を開示する。
（付記１）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記抽出部により抽出された第２の波長分割多重光信号の波長を変換して前記第１の波長帯に配置される第３の波長分割多重光信号を生成する波長変換器と、
前記第３の波長分割多重光信号の各波長チャネルのパワーをモニタする光モニタ部と、
前記光モニタ部によるモニタ結果を、前記光信号の送信元ノードまたは前記光信号の中継ノードに送信する送信部と、
を備える光パワー調整装置。
（付記２）
前記第１の波長分割多重光信号の各波長チャネルのパワーをモニタする第２の光モニタ部をさらに備え、
前記送信部は、前記光モニタ部によるモニタ結果および前記第２の光モニタ部によるモニタ結果を、前記光信号の送信元ノードまたは前記光信号の中継ノードに送信する
ことを特徴とする付記１に記載の光パワー調整装置。
（付記３）
前記抽出部により抽出された第１の波長分割多重光信号または前記波長変換器により生成される第３の波長分割多重光信号を選択するスイッチをさらに備え、
前記スイッチにより前記第１の波長分割多重光信号が選択されたときは、前記光モニタ部は、前記第１の波長分割多重光信号の各波長チャネルのパワーをモニタし、
前記スイッチにより前記第３の波長分割多重光信号が選択されたときは、前記光モニタ部は、前記第３の波長分割多重光信号の各波長チャネルのパワーをモニタする
ことを特徴とする付記１に記載の光パワー調整装置。
（付記４）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出し、
抽出された前記第２の波長分割多重光信号の波長を変換して前記第１の波長帯に配置される第３の波長分割多重光信号を生成し、
前記第３の波長分割多重光信号の各波長チャネルのパワーをモニタし、
前記第３の波長分割多重光信号の各波長チャネルのパワーについてのモニタ結果を、前記光信号の送信元ノードまたは前記光信号の中継ノードに送信する
ことを特徴とする光パワー調整方法。
（付記５）
第１の光伝送装置から第２の光伝送装置に複数の波長分割多重光信号を伝送する光伝送システムであって、
前記第１の光伝送装置は、
第１の波長帯に配置される第１の波長分割多重光信号および前記第１の波長帯に配置される第２の波長分割多重光信号を生成する信号生成部と、
前記第２の波長分割多重光信号の波長を変換して第２の波長帯に配置される第３の波長分割多重光信号を生成する第１の波長変換器と、
前記第１の波長分割多重光信号および前記第３の波長分割多重光信号を合波する合波器と、
前記第２の波長分割多重光信号の各波長チャネルのパワーを調整する調整部と、を備え、
前記第２の光伝送装置は、
前記第１の波長分割多重光信号および前記第３の波長分割多重光信号を含む光信号から前記第１の波長分割多重光信号および前記第３の波長分割多重光信号をそれぞれ抽出する抽出部と、
前記抽出部により抽出された第３の波長分割多重光信号の波長を変換して前記第１の波長帯に配置される第４の波長分割多重光信号を生成する第２の波長変換器と、
前記第４の波長分割多重光信号の各波長チャネルのパワーをモニタする光モニタ部と、
前記光モニタ部によるモニタ結果を、前記第１の光伝送装置に送信する送信部と、を備え、
前記調整部は、前記モニタ結果に基づいて、前記第２の波長分割多重光信号の各波長チャネルのパワーを調整する
ことを特徴とする光伝送システム。
（付記６）
前記調整部は、前記第４の波長分割多重光信号の各波長チャネルのパワーが実質的に均一になるように、前記第２の波長分割多重光信号の各波長チャネルのパワーを調整する
ことを特徴とする付記５に記載の光伝送システム。
（付記７）
前記調整部は、前記第４の波長分割多重光信号の各波長チャネルのパワーのバラつきが２分の１に抑制されるように、前記第２の波長分割多重光信号の各波長チャネルのパワーを調整する
ことを特徴とする付記５に記載の光伝送システム。
（付記８）
前記第１の波長変換器は、１組の励起光を生成する光源および前記第２の波長分割多重光信号および前記１組の励起光が入力される高非線形ファイバを備え、
前記調整部は、
前記第４の波長分割多重光信号が所定のパワーとなるように前記第２の波長分割多重光信号の各チャネルの波長をシフトさせる第１の処理、
前記第１の処理による波長のシフトを補償するように前記１組の励起光の波長差を制御する第２の処理、
前記第４の波長分割多重光信号の各波長チャネルのパワーが実質的に均一になるように、前記第２の波長分割多重光信号の各波長チャネルのパワーを調整する第３の処理、を実行する
ことを特徴とする付記５に記載の光伝送システム。
（付記９）
前記第１の波長変換器は、１組の励起光を生成する光源および前記第２の波長分割多重光信号および前記１組の励起光が入力される高非線形ファイバを備え、
前記調整部は、
前記第４の波長分割多重光信号が所定のパワーとなるように前記高非線形ファイバの零分散波長を調整する第１の処理、
前記第４の波長分割多重光信号の各波長チャネルのパワーが実質的に均一になるように、前記第２の波長分割多重光信号の各波長チャネルのパワーを調整する第２の処理、を実行する
ことを特徴とする付記５に記載の光伝送システム。
（付記１０）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記抽出部により抽出された第２の波長分割多重光信号の波長を変換して前記第１の波長帯に配置される第３の波長分割多重光信号を生成する波長変換器と、
前記抽出部により抽出された第１の波長分割多重光信号または前記波長変換器により生成される第３の波長分割多重光信号を選択するスイッチと、
前記スイッチにより前記第１の波長分割多重光信号が選択されたときは、前記第１の波長分割多重光信号の各波長チャネルのパワーをモニタし、前記スイッチにより前記第３の波長分割多重光信号が選択されたときは、前記第３の波長分割多重光信号の各波長チャネルのパワーをモニタする光チャネルモニタと、
を備える光伝送装置。
（付記１１）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出する抽出部と、
前記第１の波長分割多重光信号または前記第２の波長分割多重光信号を選択するスイッチと、
前記スイッチにより前記第２の波長分割多重光信号が選択されたときに、前記第２の波長分割多重光信号の波長を変換して前記第１の波長帯に配置される第３の波長分割多重光信号を生成する波長変換器と、
前記スイッチにより前記第１の波長分割多重光信号が選択されたときは、前記第１の波長分割多重光信号の各波長チャネルのパワーをモニタし、前記スイッチにより前記第２の波長分割多重光信号が選択されたときは、前記第３の波長分割多重光信号の各波長チャネルのパワーをモニタする光チャネルモニタと、
を備える光伝送装置。
（付記１２）
前記光信号を分岐して所定の規定点および前記抽出部に導く分岐部と、
前記分岐部における損失および前記分岐部から前記光チャネルモニタに至る経路の損失を補償するための補正値を格納するメモリと、
前記光チャネルモニタによりモニタされる各波長チャネルのパワーを前記補正値で補正して前記規定点におけるパワーを計算する計算部と、をさらに備える
ことを特徴とする付記１０または１１に記載の光伝送装置。
（付記１３）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出し、
抽出された前記第２の波長分割多重光信号の波長を変換して前記第１の波長帯に配置される第３の波長分割多重光信号を生成し、
前記第１の波長分割多重光信号または前記第３の波長分割多重光信号を選択し、
前記第１の波長分割多重光信号が選択されたときは前記第１の波長分割多重光信号の各波長チャネルのパワーをモニタし、前記第３の波長分割多重光信号が選択されたときは、前記第３の波長分割多重光信号の各波長チャネルのパワーをモニタする
ことを特徴とする光チャネルモニタ方法。
（付記１４）
第１の波長帯に配置された第１の波長分割多重光信号および第２の波長帯に配置された第２の波長分割多重光信号を含む光信号から前記第１の波長分割多重光信号および前記第２の波長分割多重光信号をそれぞれ抽出し、
前記第１の波長分割多重光信号または前記第２の波長分割多重光信号を選択し、
前記第２の波長分割多重光信号が選択されたときに前記第２の波長分割多重光信号の波長を変換して前記第１の波長帯に配置される第３の波長分割多重光信号を生成し、
前記第１の波長分割多重光信号が選択されたときは、光チャネルモニタを用いて前記第１の波長分割多重光信号の各波長チャネルのパワーをモニタし、前記第２の波長分割多重光信号が選択されたときは、前記光チャネルモニタを用いて前記第３の波長分割多重光信号の各波長チャネルのパワーをモニタする
ことを特徴とする光チャネルモニタ方法。
（付記１５）
前記光チャネルモニタを用いてモニタされるパワーが所定の閾値よりも小さい波長チャネルにおいては、信号が伝送されていないと判定される
ことを特徴とする付記１３または付記１４に記載の光チャネルモニタ方法。
【符号の説明】
【０１７０】
１１（１１ａ〜１１ｃ）  送信器
１４（１４Ｌ、１４Ｓ）  波長変換器
１６（１６ａ〜１６ｃ）  ＷＤＭ調整部
１７  増幅器
１８  可変光減衰器（ＶＯＡ）
１９  波長選択スイッチ
２１  分離器
２２（２２Ｌ、２２Ｓ）  波長変換器
２５（２５ａ〜２５ｃ）  受信器
２６（２６ａ〜２６ｃ）  光チャネルモニタ（ＯＣＭ）
２７  送信部
３１  光フィルタ（ＯＢＰＦ）
３２  受光器（ＰＤ）
４１、４２  励起光源
４３  高非線形ファイバ
４４  励起光波長調整部
４５  零分散波長調整部
４６  温度調整部
５０（５０Ａ、５０Ｂ）  中継ノード
１０１、１２１  分離フィルタ
１０２、１２２、１２３  波長変換器
１０３  ２×１スイッチ
１０４  光チャネルモニタ
１０５、１２５  コントローラ
１１２  メモリ
１２４  ３×１スイッチ
１３１、１３２  波長変換器
１３３、１３４  光チャネルモニタシステム
【図１】
2019198024.tif 000003
【図２】
2019198024.tif 000004
【図３】
2019198024.tif 000005
【図４】
2019198024.tif 000006
【図５】
2019198024.tif 000007
【図６】
2019198024.tif 000008
【図７】
2019198024.tif 000009
【図８】
2019198024.tif 000010
【図９】
2019198024.tif 000011
【図１０】
2019198024.tif 000012
【図１１】
2019198024.tif 000013
【図１２】
2019198024.tif 000014
【図１３】
2019198024.tif 000015
【図１４】
2019198024.tif 000016
【図１５】
2019198024.tif 000017
【図１６】
2019198024.tif 000018
【図１７】
2019198024.tif 000019
【図１８】
2019198024.tif 000020
【図１９】
2019198024.tif 000021
【図２０】
2019198024.tif 000022
【図２１】
2019198024.tif 000023
【図２２】
2019198024.tif 000024
【図２３】
2019198024.tif 000025
【図２４】
2019198024.tif 000026
【図２５】
2019198024.tif 000027
【図２６】
2019198024.tif 000028
【図２７】
2019198024.tif 000029
【図２８】
2019198024.tif 000030
【図２９】
2019198024.tif 000031
【図３０】
2019198024.tif 000032
【図３１】
2019198024.tif 000033
【図３２】
2019198024.tif 000034
【図３３】
2019198024.tif 000035
【図３４】
2019198024.tif 000036
【図３５】
2019198024.tif 000037
【図３６】
2019198024.tif 000038
【図３７】
2019198024.tif 000039
【図３８】
2019198024.tif 000040
【図３９】
2019198024.tif 000041
【図４０】
2019198024.tif 000042
【図４１】
2019198024.tif 000043
【図４２】
2019198024.tif 000044
【図４３】
2019198024.tif 000045
【図４４】
2019198024.tif 000046
【図４５】
2019198024.tif 000047
【図４６】
2019198024.tif 000048